(57)【特許請求の範囲】
【請求項１】
物理ダウンリンク・データ・チャネル送信方法であって、
物理ダウンリンク・データ・チャネルを少なくとも1つのタイムスロットの中の時間周波数リソースにマッピングするステップであって、各々のタイムスロットの中の時間周波数リソースは、少なくとも1つの強化された物理リソース・ブロック対を含み、前記強化された物理リソース・ブロック対は、同じタイムスロットの中の1つの周波数領域において2つの連続する物理リソース・ブロックを含む、マッピングするステップと、
ユーザ機器(UE)に前記物理ダウンリンク・データ・チャネルを送信するステップと、を含み、
システム帯域幅又はコンフィギュレーション帯域幅に含まれる物理リソース・ブロックの数が奇数である場合には、各々のタイムスロットの中の前記時間周波数リソースは、少なくとも1つの強化された物理リソース・ブロック対及び1つの物理リソース・ブロックを含み、前記物理リソース・ブロックは、各々のタイムスロットの中の前記周波数領域において最も高い物理リソース・ブロックであり、前記コンフィギュレーション帯域幅は、前記UEに割り当てられる帯域幅である、
方法。
【請求項２】
当該方法は、さらに、
ダウンリンク制御情報を搬送する物理ダウンリンク制御チャネルを使用することによって、前記物理ダウンリンク・データ・チャネルのためのスケジューリング情報を前記UEに送信するステップを含み、前記スケジューリング情報は、前記少なくとも1つのタイムスロットの中の前記時間周波数リソースに関する前記物理ダウンリンク・データ・チャネルのためのリソース割当情報を含み、前記ダウンリンク制御情報は、前記強化された物理リソース・ブロック対又は強化されたリソース・ブロック・グループの基本単位で、前記物理ダウンリンク・データ・チャネルのためのリソース割当情報を含み、
前記強化されたリソース・ブロック・グループは、同じタイムスロットの中の前記周波数領域においてP個の連続する強化された物理リソース・ブロック対を含み、Pは、前記システム帯域幅にしたがって決定される正の整数であるか、或いは、
前記強化されたリソース・ブロック・グループは、同じタイムスロットの中の前記周波数領域においてP個又はQ個の連続する強化された物理リソース・ブロック対を含み、Qは、P以下の正の整数である、請求項１に記載の方法。
【請求項３】
複数の異なるタイムスロットの中の強化された物理リソース・ブロック対又は強化されたリソース・ブロック・グループは、同じ方式で付番され、強化された物理リソース・ブロック対又は強化されたリソース・ブロック・グループの番号は、各々のタイムスロットの中で周波数の小さい順に連続的な整数シーケンスとなり、強化された物理リソース・ブロック対又は強化されたリソース・ブロック・グループは、複数の異なるタイムスロットの中で同じ周波数領域位置において同じ番号を有する、請求項２に記載の方法。
【請求項４】
少なくとも2つの連続するタイムスロットの中の強化された物理リソース・ブロック対又は強化されたリソース・ブロック・グループの番号は、連続する整数シーケンスを構成し、強化された物理リソース・ブロック対又は強化されたリソース・ブロック・グループの番号は、各々のタイムスロットの中で周波数の小さい順にしたがって連続的となっている、請求項２に記載の方法。
【請求項５】
ユーザ機器UEに前記物理ダウンリンク・データ・チャネルを送信するステップの前に、当該方法は、さらに、
無線リソース制御(RRC)シグナリングを使用することによって、時間周波数リソースに関する指示メッセージを前記UEに送信するステップを含み、それによって、前記UEは、前記物理ダウンリンク制御チャネルを使用することによって送信された前記ダウンリンク制御情報を、前記時間周波数リソースに関する前記指示メッセージにしたがって受信し、
前記時間周波数リソースに関する前記指示メッセージは、偶数タイムスロット及び/又は奇数タイムスロットにおける前記時間周波数リソースに関する指示メッセージであり、前記時間周波数リソースに関する指示メッセージは、周波数領域リソース位置及び開始直交周波数分割多重(OFDM)シンボルを含むか、又は、前記時間周波数リソースに関する前記指示メッセージは、周波数領域リソース位置及びOFDMシンボル数を含み、
それに対応して、当該方法は、さらに、
前記時間周波数リソースに関する前記指示メッセージにしたがって、前記物理ダウンリンク制御チャネルを使用することによって前記UEに前記ダウンリンク制御情報を送信するステップを含む、請求項２から４のいずれか１項に記載の方法。
【請求項６】
前記ダウンリンク制御情報は、さらに、前記物理ダウンリンク制御チャネルと前記物理ダウンリンク・データ・チャネルとの間のタイムスロットの関係に関する指示情報を含み、前記物理ダウンリンク制御チャネルと前記物理ダウンリンク・データ・チャネルとの間のタイムスロットの前記関係は、前記物理ダウンリンク制御チャネルが配置される現在のタイムスロット及び/又は前記物理ダウンリンク制御チャネルが配置される現在のタイムスロットの次のタイムスロットに、前記物理ダウンリンク・データ・チャネルが配置されることを含む、請求項５に記載の方法。
【請求項７】
前記ダウンリンク制御情報の1ビット情報を使用することによってタイムスロットの前記関係が示され、
タイムスロットの前記関係は、前記物理ダウンリンク制御チャネルが配置される前記現在のタイムスロットに、前記物理ダウンリンク・データ・チャネルが配置されること、又は、前記物理ダウンリンク制御チャネルが配置される前記現在のタイムスロットの前記次のタイムスロットに、前記物理ダウンリンク・データ・チャネルが配置されることのうちの一方であるか、或いは、
タイムスロットの前記関係は、前記物理ダウンリンク制御チャネルが配置される前記現在のタイムスロットに、前記物理ダウンリンク・データ・チャネルが配置されること、又は、前記物理ダウンリンク制御チャネルが配置される前記現在のタイムスロット、及び前記現在のタイムスロットの前記次のタイムスロットに、前記物理ダウンリンク・データ・チャネルが配置されることのうちの1つである、請求項６に記載の方法。
【請求項８】
前記ダウンリンク制御情報の2ビット情報を使用することによってタイムスロットの前記関係が示され、タイムスロットの前記関係は、前記物理ダウンリンク制御チャネルが配置される前記現在のタイムスロットに、前記物理ダウンリンク・データ・チャネルが配置されること、前記物理ダウンリンク制御チャネルが配置される前記現在のタイムスロットの前記次のタイムスロットに、前記物理ダウンリンク・データ・チャネルが配置されること、又は、前記物理ダウンリンク制御チャネルが配置される前記現在のタイムスロット、及び前記現在のタイムスロットの前記次のタイムスロットに、前記物理ダウンリンク・データ・チャネルが配置されることのうちの1つである、請求項６に記載の方法。
【請求項９】
前記強化された物理リソース・ブロック対又は前記強化されたリソース・ブロック・グループの番号であるとともに前記リソース割当情報によって示される番号を使用することによってタイムスロットの前記関係が示され、タイムスロットの前記関係は、前記物理ダウンリンク制御チャネルが配置される前記現在のタイムスロットに、前記物理ダウンリンク・データ・チャネルが配置されること、前記物理ダウンリンク制御チャネルが配置される前記現在のタイムスロットの前記次のタイムスロットに、前記物理ダウンリンク・データ・チャネルが配置されること、又は、前記物理ダウンリンク制御チャネルが配置される前記現在のタイムスロット、及び前記現在のタイムスロットの前記次のタイムスロットに、前記物理ダウンリンク・データ・チャネルが配置されることのうちの1つである、請求項６に記載の方法。
【請求項１０】
基地局であって、受信機、プロセッサ、及び送信機を含み、
前記プロセッサは、物理ダウンリンク・データ・チャネルを少なくとも1つのタイムスロットの中の時間周波数リソースにマッピングするように構成され、各々のタイムスロットの中の時間周波数リソースは、少なくとも1つの強化された物理リソース・ブロック対を含み、前記強化された物理リソース・ブロック対は、同じタイムスロットの中の1つの周波数領域において2つの連続する物理リソース・ブロックを含み、
前記送信機は、UEに前記物理ダウンリンク・データ・チャネルを送信するように構成され、
システム帯域幅又はコンフィギュレーション帯域幅に含まれる物理リソース・ブロックの数が奇数である場合には、各々のタイムスロットの中の前記時間周波数リソースは、少なくとも1つの強化された物理リソース・ブロック対及び1つの物理リソース・ブロックを含み、前記物理リソース・ブロックは、各々のタイムスロットの中の前記周波数領域において最も高い物理リソース・ブロックであり、前記コンフィギュレーション帯域幅は、前記UEに割り当てられる帯域幅である、
基地局。
【請求項１１】
前記送信機は、さらに、ダウンリンク制御情報を搬送する物理ダウンリンク制御チャネルを使用することによって、前記物理ダウンリンク・データ・チャネルのためのスケジューリング情報を前記UEに送信するように構成され、
前記スケジューリング情報は、前記少なくとも1つのタイムスロットの中の前記時間周波数リソースに関する前記物理ダウンリンク・データ・チャネルのためのリソース割当情報を含み、前記ダウンリンク制御情報は、前記強化された物理リソース・ブロック対又は強化されたリソース・ブロック・グループの基本単位で、前記物理ダウンリンク・データ・チャネルのためのリソース割当情報を含み、
前記強化されたリソース・ブロック・グループは、同じタイムスロットの中の前記周波数領域においてP個の連続する強化された物理リソース・ブロック対を含み、Pは、前記システム帯域幅にしたがって決定される正の整数であるか、或いは、
前記強化されたリソース・ブロック・グループは、同じタイムスロットの中の前記周波数領域においてP個又はQ個の連続する強化された物理リソース・ブロック対を含み、Qは、P以下の正の整数である、請求項１０に記載の基地局。
【請求項１２】
前記送信機は、さらに、前記UEに前記物理ダウンリンク・データ・チャネルを送信する前に、RRCシグナリングを使用することによって、時間周波数リソースに関する指示メッセージを前記UEに送信するように構成され、それによって、前記UEは、前記物理ダウンリンク制御チャネルを使用することによって送信された前記ダウンリンク制御情報を、前記時間周波数リソースに関する前記指示メッセージにしたがって受信し、
前記時間周波数リソースに関する前記指示メッセージは、偶数タイムスロット及び/又は奇数タイムスロットにおける前記時間周波数リソースに関する指示メッセージであり、前記時間周波数リソースに関する前記指示メッセージは、周波数領域リソース位置及び開始OFDMシンボルを含むか、又は、前記時間周波数リソースに関する前記指示メッセージは、周波数領域リソース位置及びOFDMシンボル数を含み、
それに対応して、前記送信機は、さらに、前記時間周波数リソースに関する前記指示メッセージにしたがって、前記物理ダウンリンク制御チャネルを使用することによって前記UEに前記ダウンリンク制御情報を送信するように構成される、請求項１１に記載の基地局。
【請求項１３】
前記ダウンリンク制御情報は、さらに、前記物理ダウンリンク制御チャネルと前記物理ダウンリンク・データ・チャネルとの間のタイムスロットの関係に関する指示情報を含み、前記物理ダウンリンク制御チャネルと前記物理ダウンリンク・データ・チャネルとの間のタイムスロットの前記関係は、前記物理ダウンリンク制御チャネルが配置される現在のタイムスロット及び/又は前記物理ダウンリンク制御チャネルが配置される現在のタイムスロットの次のタイムスロットに、前記物理ダウンリンク・データ・チャネルが配置されることを含む、請求項１２に記載の基地局。
【請求項１４】
1つ又は複数のコンピュータ実行可能な命令を含むコンピュータ・プログラムであって、前記１つ又は複数のコンピュータ実行可能な命令は、基地局のプロセッサで実行されると、前記基地局に、
物理ダウンリンク・データ・チャネルを少なくとも1つのタイムスロットの中の時間周波数リソースにマッピングするステップであって、各々のタイムスロットの中の時間周波数リソースは、少なくとも1つの強化された物理リソース・ブロック対を含み、前記強化された物理リソース・ブロック対は、同じタイムスロットの中の1つの周波数領域において2つの連続する物理リソース・ブロックを含む、マッピングするステップと、
ユーザ機器(UE)に前記物理ダウンリンク・データ・チャネルを送信するステップと、を含み、
システム帯域幅又はコンフィギュレーション帯域幅に含まれる物理リソース・ブロックの数が奇数である場合には、各々のタイムスロットの中の前記時間周波数リソースは、少なくとも1つの強化された物理リソース・ブロック対及び1つの物理リソース・ブロックを含み、前記物理リソース・ブロックは、各々のタイムスロットの中の前記周波数領域において最も高い物理リソース・ブロックであり、前記コンフィギュレーション帯域幅は、前記UEに割り当てられる帯域幅である、
物理ダウンリンク・データ・チャネル送信方法を実行させる、
コンピュータ・プログラム。
【請求項１５】
物理ダウンリンク・データ・チャネル送信方法であって、
ダウンリンク制御情報を搬送する物理ダウンリンク制御チャネルを使用することによって基地局から送信されるとともに物理ダウンリンク・データ・チャネルのためのスケジューリング情報を受信するステップと、
前記スケジューリング情報にしたがって、前記基地局から前記物理ダウンリンク・データ・チャネルを受信するステップと、を含み、前記スケジューリング情報は、少なくとも1つのタイムスロットの中の時間周波数リソースに関する前記物理ダウンリンク・データ・チャネルのためのリソース割当情報を含み、各々のタイムスロットの中の時間周波数リソースは、少なくとも1つの強化された物理リソース・ブロック対を含み、前記強化された物理リソース・ブロック対は、同じタイムスロットの中の1つの周波数領域において2つの連続する物理リソース・ブロックを含み、
システム帯域幅又はコンフィギュレーション帯域幅に含まれる物理リソース・ブロックの数が奇数である場合には、各々のタイムスロットの中の前記時間周波数リソースは、少なくとも1つの強化された物理リソース・ブロック対及び/又は1つの物理リソース・ブロックを含み、前記物理リソース・ブロックは、各々のタイムスロットの中の前記周波数領域において最も高い物理リソース・ブロックであり、前記コンフィギュレーション帯域幅は、UEに割り当てられる帯域幅である、
方法。
【請求項１６】
前記リソース割当情報は、前記強化された物理リソース・ブロック対又は強化されたリソース・ブロック・グループの基本単位で、前記物理ダウンリンク・データ・チャネルのためのリソース割当情報を含み、
前記強化されたリソース・ブロック・グループは、同じタイムスロットの中の前記周波数領域においてP個の連続する強化された物理リソース・ブロック対を含み、Pは、前記システム帯域幅にしたがって決定される正の整数であるか、又は、
前記強化されたリソース・ブロック・グループは、同じタイムスロットの中の前記周波数領域においてP個又はQ個の連続する強化された物理リソース・ブロック対を含み、Qは、P以下の正の整数であり、
それに対応して、前記スケジューリング情報にしたがって前記基地局から前記物理ダウンリンク・データ・チャネルを受信するステップの前に、当該方法は、
前記基地局によって前記物理ダウンリンク・データ・チャネルに割り当てられるとともに、前記強化された物理リソース・ブロック対のリソース位置であるリソース位置を前記リソース割当情報にしたがって決定するステップをさらに含み、
前記スケジューリング情報にしたがって前記基地局から前記物理ダウンリンク・データ・チャネルを受信するステップは、
前記基地局から前記物理ダウンリンク・データ・チャネルを、前記強化された物理リソース・ブロック対の前記割り当てられたリソース位置で受信するステップを含む、請求項１５に記載の方法。
【請求項１７】
前記スケジューリング情報にしたがって前記基地局から前記物理ダウンリンク・データ・チャネルを受信するステップの前に、当該方法は、
同じタイムスロットの中の2つのダウンリンク制御情報フォーマットにしたがって、前記物理ダウンリンク制御チャネルでブラインド検出を実行して、前記スケジューリング情報を決定するステップをさらに含み、前記2つのダウンリンク制御情報フォーマットにしたがって前記物理ダウンリンク制御チャネルを使用することによってスケジューリングされる前記物理ダウンリンク・データ・チャネルは、複数の異なる送信時間間隔を有する、請求項１６に記載の方法。
【請求項１８】
前記スケジューリング情報にしたがって前記基地局から前記物理ダウンリンク・データ・チャネルを受信するステップの前に、当該方法は、
RRCシグナリングを使用することによって前記基地局によって送信されるとともに時間周波数リソースに関する指示メッセージである指示メッセージを受信するステップと、
前記物理ダウンリンク制御チャネルを使用することによって送信される前記ダウンリンク制御情報を、前記時間周波数リソースに関する前記指示メッセージにしたがって受信するステップと、をさらに含み、前記時間周波数リソースに関する前記指示メッセージは、偶数タイムスロット及び/又は奇数タイムスロットの中の指示メッセージであり、前記時間周波数リソースに関する前記指示メッセージは、周波数領域リソース位置及び開始OFDMシンボルを含むか、又は、前記時間周波数リソースに関する前記指示メッセージは、周波数領域リソース位置及びOFDMシンボル数を含む、請求項１５乃至１７のいずれか１項に記載の方法。
【請求項１９】
前記ダウンリンク制御情報は、前記物理ダウンリンク制御チャネルと前記物理ダウンリンク・データ・チャネルとの間のタイムスロットの関係に関する指示情報をさらに含み、前記物理ダウンリンク制御チャネルと前記物理ダウンリンク・データ・チャネルとの間のタイムスロットの前記関係は、前記物理ダウンリンク制御チャネルが配置される現在のタイムスロット、及び/又は、前記物理ダウンリンク制御チャネルが配置される前記現在のタイムスロットの次のタイムスロットに、前記物理ダウンリンク・データ・チャネルが配置されることを含む、請求項１８に記載の方法。
【請求項２０】
装置であって、
メモリに接続されるとともに、前記メモリに含まれる命令を読み出すように構成されるプロセッサを含み、前記命令を実行すると、前記プロセッサは、請求項１５乃至１９のうちのいずれか１項に記載の方法のステップを実行するように構成される、
装置。
【請求項２１】
命令を含むコンピュータ・プログラムであって、当該プログラムがコンピュータによって実行されると、前記コンピュータに、請求項１５乃至１９のうちのいずれか１項に記載の方法のステップを実行させる、
コンピュータ・プログラム。
【発明の詳細な説明】
【技術分野】
【０００１】
本発明の実施形態は、通信技術に関し、詳細には、物理ダウンリンク・データ・チャネル送信方法、基地局、及びユーザ機器に関する。
【背景技術】
【０００２】
モバイルインターネット技術の発展によって、ロング・ターム・エボリューション(Long  Term  Evolution、略してLTE)又はロング・ターム・エボリューション・アドバンスト(Long  Term  Evolution  Advanced、LTE-Advanced)セルラ技術が、徐々に、グローバル移動体通信(Global  System  for  Mobile  Communications、略してGSM)及び広帯域符号分割多元接続(Wideband  Code  Division  Multiple  Access、略してWCDMA)等のセルラ技術に代わって、広く展開されている。しかしながら、モノのインターネット等の技術の発展によって、LTEセルラ技術に基づくマシン・ツー・マシン(Machine  to  Machine、略してM2M)通信が、産業界において注目されている。2013年11月における戦略分析によって報告された調査結果は、M2M接続の数量が、2022年までに3億6800万から29億に増加するであろうことを示す。M2M通信と既存のヒューマン・ツー・ヒューマン(Human  to  Human、略してH2H)通信との間には、異なる特性が存在する。M2M通信をより良くサポートできるように、H2Hとは異なるいくつかの増強技術を導入する必要がある。
【０００３】
M2M通信は、アプリケーション・シナリオ及びサービス・タイプとの強い相関を有する。例えば、家庭の電気メータを読み取るアプリケーション・シナリオでは、M2Mユーザは、ネットワークへ小さなデータ・パケットを定期的に送信する必要があり、サービスは、低い遅れ感度を有する。しかしながら、いくつかの産業制御アプリケーション・シナリオでは、M2M端末は、高速応答を実装してもよくるように、検出されたデータを迅速に報告することが要求される。このケースでは、M2M通信は、極端に高い遅れ感度を示し、比較的低いエンド・ツー・エンド送信遅延を必要とする。
【０００４】
先行技術では、基地局は、2つのタイムスロット(slot)の中の時間領域において連続する特定の数の物理リソース・ブロック(Physical  Resource  Block、略してPRB)を、物理ダウンリンク・データ・チャネルに割り当て、前述したチャネルをユーザ側に送信する。その後、基地局からユーザ機器(User  Equipment、略してUE)までの送信時間は、少なくとも物理ダウンリンク・データ・チャネルの単一の送信の時間を含む。他の要因が考慮されないと、物理ダウンリンク・データ・チャネルの単一の送信の時間は、少なくとも1つの送信時間間隔(Transmission  Time  Interval、略してTTI)を含む。ダウンリンク・データ送信処理と同様に、アップリンクデータ送信処理では、UEが、2つのタイムスロットの中の時間領域において連続する物理リソース・ブロックにより1つの物理アップリンク・データ・チャネルを送信する。TTIの制限は、送信時間を効率的に短縮することを困難し、結果として、遅延に敏感なサービス、又は、M2M通信が適用可能なアプリケーション・シナリオが制限されるようになる。
【発明の概要】
【０００５】
本発明の実施形態は、物理ダウンリンク・データ・チャネル送信方法、基地局、及びユーザ機器を提供して、物理ダウンリンク・データ・チャネルの送信時間間隔を短縮することが困難であるという先行技術の1つの問題を解決できるようにする。
【０００６】
第1の態様によれば、本発明の実施形態は、物理ダウンリンク・データ・チャネル送信方法であって、
物理ダウンリンク・データ・チャネルを少なくとも1つのタイムスロットの中の時間周波数リソースにマッピングするステップであって、各々のタイムスロットの中の時間周波数リソースは、少なくとも1つの強化された物理リソース・ブロック対を含み、前記強化された物理リソース・ブロック対は、同じタイムスロットの中の1つの周波数領域において2つの連続する物理リソース・ブロックを含む、マッピングするステップと、
ユーザ機器(UE)に前記物理ダウンリンク・データ・チャネルを送信するステップと、を含む物理ダウンリンク・データ・チャネル送信方法を提供する。
【０００７】
第1の態様によれば、第1の態様の第1の可能な実装方法では、システム帯域幅又はコンフィギュレーション帯域幅に含まれる物理リソース・ブロックの数が偶数である場合には、各々のタイムスロットの中の前記時間周波数リソースは、少なくとも1つの強化された物理リソース・ブロック対を含み、或いは、
前記システム帯域幅又は前記コンフィギュレーション帯域幅に含まれる物理リソース・ブロックの数が奇数である場合には、各々のタイムスロットの中の前記時間周波数リソースは、少なくとも1つの強化された物理リソース・ブロック対、及び/又は1つの物理リソース・ブロックを含み、前記物理リソース・ブロックは、各々のタイムスロットの中の前記周波数領域において最も高い物理リソース・ブロックであり、前記コンフィギュレーション帯域幅は、UEに割り当てられる帯域幅である。
【０００８】
第1の態様の第1の可能な実装方法によれば、第2の可能な実装方法では、当該方法は、さらに、
前記物理ダウンリンク・データ・チャネルのためのスケジューリング情報を、ダウンリンク制御情報を搬送する物理ダウンリンク制御チャネルを使用することによってUEに送信するステップを含み、前記スケジューリング情報は、前記少なくとも1つのタイムスロットの中の前記時間周波数リソースに関する前記物理ダウンリンク・データ・チャネルのためのリソース割当情報を含み、前記ダウンリンク制御情報は、前記強化された物理リソース・ブロック対又は強化されたリソース・ブロック・グループの基本単位で、前記物理ダウンリンク・データ・チャネルのためのリソース割当情報を含み、
前記強化されたリソース・ブロック・グループは、同じタイムスロットの中の前記周波数領域においてP個の連続する強化された物理リソース・ブロック対を含み、Pは、前記システム帯域幅にしたがって決定される正の整数であるか、或いは、
前記強化されたリソース・ブロック・グループは、同じタイムスロットの中の前記周波数領域においてP個又はQ個の連続する強化された物理リソース・ブロック対を含み、Qは、P以下の正の整数である。
【０００９】
第1の態様の第2の可能な実装方法によれば、第3の可能な実装方法では、複数の異なるタイムスロットの中の強化された物理リソース・ブロック対又は強化されたリソース・ブロック・グループは、同じ方式で付番され、強化された物理リソース・ブロック対又は強化されたリソース・ブロック・グループの番号は、各々のタイムスロットの中で周波数の小さい順に連続的な整数シーケンスとなり、強化された物理リソース・ブロック対又は強化されたリソース・ブロック・グループは、複数の異なるタイムスロットの中で同じ周波数領域位置において同じ番号を有する。
【００１０】
第1の態様の第2の可能な実装方法によれば、第4の可能な実装方法では、少なくとも2つの連続するタイムスロットの中の強化された物理リソース・ブロック対又は強化されたリソース・ブロック・グループの番号は、連続する整数シーケンスを構成し、強化された物理リソース・ブロック対又は強化されたリソース・ブロック・グループの番号は、各々のタイムスロットの中で周波数の小さい順にしたがって連続的となっている。
【００１１】
第1の態様の第2乃至第4の可能な実装方法のうちのいずれか1つによれば、第5の可能な実装方法では、ユーザ機器UEに前記物理ダウンリンク・データ・チャネルを送信するステップの前に、当該方法は、さらに、
無線リソース制御(RRC)シグナリングを使用することによって、時間周波数リソースに関する指示メッセージを前記UEに送信するステップを含み、それによって、前記UEは、前記物理ダウンリンク制御チャネルを使用することによって送信された前記ダウンリンク制御情報を、前記時間周波数リソースに関する前記指示メッセージにしたがって受信し、
前記時間周波数リソースに関する前記指示メッセージは、偶数タイムスロット及び/又は奇数タイムスロットにおける前記時間周波数リソースに関する指示メッセージであり、前記時間周波数リソースに関する指示メッセージは、周波数領域リソース位置及び開始直交周波数分割多重OFDMシンボルを含むか、又は、前記時間周波数リソースに関する前記指示メッセージは、周波数領域リソース位置及びOFDMシンボル数を含み、
それに対応して、当該方法は、さらに、
前記時間周波数リソースに関する前記指示メッセージにしたがって、前記物理ダウンリンク制御チャネルを使用することによって前記UEにダウンリンク制御情報を送信するステップを含む。
【００１２】
第1の態様の第5の可能な実装方法によれば、第6の可能な実装方法では、前記ダウンリンク制御情報は、さらに、前記物理ダウンリンク制御チャネルと前記物理ダウンリンク・データ・チャネルとの間のタイムスロットの関係に関する指示情報を含み、前記物理ダウンリンク制御チャネルと前記物理ダウンリンク・データ・チャネルとの間のタイムスロットの前記関係は、前記物理ダウンリンク制御チャネルが配置される現在のタイムスロット及び/又は前記物理ダウンリンク制御チャネルが配置される現在のタイムスロットの次のタイムスロットに、前記物理ダウンリンク・データ・チャネルが配置されることを含む。
【００１３】
第1の態様の第6の可能な実装方法によれば、第7の可能な実装方法では、タイムスロットの前記関係に関する前記指示情報は、前記ダウンリンク制御情報の1ビット情報を使用することによってタイムスロットの前記関係が示されることを含み、
タイムスロットの前記関係は、前記物理ダウンリンク制御チャネルが配置される現在のタイムスロットに、前記物理ダウンリンク・データ・チャネルが配置されること、又は、前記物理ダウンリンク制御チャネルが配置される前記現在のタイムスロットの次のタイムスロットに、前記物理ダウンリンク・データ・チャネルが配置されることのうちの一方であるか、又は、
タイムスロットの前記関係は、物理ダウンリンク制御チャネルが配置される現在のタイムスロットに、物理ダウンリンク・データ・チャネルが配置されること、又は、物理ダウンリンク制御チャネルが配置される現在のタイムスロット、及び現在のタイムスロットの次のタイムスロットに、物理ダウンリンク・データ・チャネルが配置されることのうちの1つである。
【００１４】
第1の態様の第6の可能な実装方法によれば、第8の可能な実装方法では、タイムスロットの前記関係の前記指示情報は、前記ダウンリンク制御情報の2ビット情報を使用することによってタイムスロットの前記関係が示されることを含み、タイムスロットの前記関係は、前記物理ダウンリンク制御チャネルが配置される前記現在のタイムスロットに、前記物理ダウンリンク・データ・チャネルが配置されること、前記物理ダウンリンク制御チャネルが配置される前記現在のタイムスロットの前記次のタイムスロットに、前記物理ダウンリンク・データ・チャネルが配置されること、又は、前記物理ダウンリンク制御チャネルが配置される前記現在のタイムスロット、及び前記現在のタイムスロットの前記次のタイムスロットに、前記物理ダウンリンク・データ・チャネルが配置されることのうちの1つである。
【００１５】
第1の態様の第6の可能な実装方法によれば、第9の可能な実装方法では、タイムスロットの前記関係の前記指示情報は、前記強化された物理リソース・ブロック対又は前記強化されたリソース・ブロック・グループの番号であるとともに前記リソース割当情報によって示される番号を使用することによってタイムスロットの前記関係が示されることを含み、タイムスロット前記関係は、前記物理ダウンリンク制御チャネルが配置される前記現在のタイムスロットに、前記物理ダウンリンク・データ・チャネルが配置されること、前記物理ダウンリンク制御チャネルが配置される前記現在のタイムスロットの前記次のタイムスロットに、前記物理ダウンリンク・データ・チャネルが配置されること、又は、前記物理ダウンリンク制御チャネルが配置される前記現在のタイムスロット、及び前記現在のタイムスロットの前記次のタイムスロットに、前記物理ダウンリンク・データ・チャネルが配置されることのうちの1つである。
【００１６】
第2の態様によれば、本発明の1つの実施形態は、物理ダウンリンク・データ・チャネル送信方法を提供し、当該方法は、
ダウンリンク制御情報を搬送する物理ダウンリンク制御チャネルを使用することによって基地局から送信されるとともに物理ダウンリンク・データ・チャネルのためのスケジューリング情報を受信するステップと、
前記スケジューリング情報にしたがって前記基地局から前記物理ダウンリンク・データ・チャネルを受信するステップとを含み、前記スケジューリング情報は、少なくとも1つのタイムスロットの中の時間周波数リソースに関する前記物理ダウンリンク・データ・チャネルのためのリソース割当情報を含み、各々のタイムスロットの中の時間周波数リソースは、少なくとも1つの強化された物理リソース・ブロック対を含み、前記強化された物理リソース・ブロック対は、同じタイムスロットの中の1つの周波数領域において2つの連続する物理リソース・ブロックを含む。
【００１７】
第2の態様によれば、第2の態様の第1の可能な実装方法では、システム帯域幅又はコンフィギュレーション帯域幅に含まれる物理リソース・ブロックの数が偶数である場合には、各々のタイムスロットの中の前記時間周波数リソースは、少なくとも1つの強化された物理リソース・ブロック対を含み、又は、
前記システム帯域幅又は前記コンフィギュレーション帯域幅に含まれる物理リソース・ブロックの数が奇数である場合には、各々のタイムスロットの中の前記時間周波数リソースは、少なくとも1つの強化された物理リソース・ブロック対及び/又は1つの物理リソース・ブロックを含み、前記物理リソース・ブロックは、各々のタイムスロットの中の前記周波数領域において最も高い物理リソース・ブロックであり、前記コンフィギュレーション帯域幅は、ユーザ機器(UE)に割り当てられる帯域幅である。
【００１８】
第2の態様の第1の可能な実装方法によれば、第2の可能な実装方法では、前記リソース割当情報は、前記強化された物理リソース・ブロック対又は強化されたリソース・ブロック・グループの基本単位で、前記物理ダウンリンク・データ・チャネルのためのリソース割当情報を含み、
前記強化されたリソース・ブロック・グループは、同じタイムスロットの中の前記周波数領域においてP個の連続する強化された物理リソース・ブロック対を含み、Pは、前記システム帯域幅にしたがって決定される正の整数であるか、又は、
前記強化されたリソース・ブロック・グループは、同じタイムスロットの中の前記周波数領域においてP個又はQ個の連続する強化された物理リソース・ブロック対を含み、Qは、P以下の正の整数であり、
それに対応して、前記スケジューリング情報にしたがって前記基地局から前記物理ダウンリンク・データ・チャネルを受信するステップ前に、当該方法は、さらに、
前記基地局によって前記物理ダウンリンク・データ・チャネルに割り当てられるとともに、前記強化された物理リソース・ブロック対のリソース位置であるリソース位置を前記リソース割当情報にしたがって決定するステップを含み、
前記スケジューリング情報にしたがって前記基地局から前記物理ダウンリンク・データ・チャネルを受信するステップは、
前記基地局から前記物理ダウンリンク・データ・チャネルを、前記強化された物理リソース・ブロック対の前記割り当てられたリソース位置で受信するステップを含む。
【００１９】
第2の態様の第2の可能な実装方法によれば、第3の可能な実装方法では、前記スケジューリング情報にしたがって前記基地局から前記物理ダウンリンク・データ・チャネルを受信するステップ前に、当該方法は、さらに、
同じタイムスロットの中の2つのダウンリンク制御情報フォーマットにしたがって、前記物理ダウンリンク制御チャネルでブラインド検出を実行して、前記スケジューリング情報を決定するステップを含み、前記2つのダウンリンク制御情報フォーマットにしたがって前記物理ダウンリンク制御チャネルを使用することによってスケジューリングされる前記物理ダウンリンク・データ・チャネルは、複数の異なる送信時間間隔を有する。
【００２０】
第2の態様の第2又は第3の可能な実装方法によれば、第4の可能な実装方法では、複数の異なるタイムスロットにおける強化された物理リソース・ブロック対又は強化されたリソース・ブロック・グループは、同じ方式で付番され、強化された物理リソース・ブロック対又は強化されたリソース・ブロック・グループの番号は、各々のタイムスロットの中で周波数の小さい順に連続的な整数シーケンスとなり、強化された物理リソース・ブロック対又は強化されたリソース・ブロック・グループは、複数の異なるタイムスロットにおける同じ周波数領域位置において同じ番号を有する。
【００２１】
第2の態様の第2の可能な実装方法又は第3の可能な実装方法によれば、第5の可能な実装方法では、少なくとも2つの連続するタイムスロットの中の強化された物理リソース・ブロック対又は強化されたリソース・ブロック・グループの番号は、連続する整数シーケンスを構成し、強化された物理リソース・ブロック対又は強化されたリソース・ブロック・グループの番号は、各々のタイムスロットの中で周波数の小さい順にしたがって連続的となっている。
【００２２】
第2の態様乃至第2の態様の第5の可能な実装方法のうちのいずれか1つによれば、第6の可能な実装方法では、前記スケジューリング情報にしたがって前記基地局から前記物理ダウンリンク・データ・チャネルを受信するステップ前に、当該方法は、さらに、
RRCシグナリングを使用することによって前記基地局によって送信されるとともに時間周波数リソースに関する指示メッセージである指示メッセージを受信するステップと、
前記物理ダウンリンク制御チャネルを使用することによって送信される前記ダウンリンク制御情報を、前記時間周波数リソースに関する前記指示メッセージにしたがって受信するステップとを含み、前記時間周波数リソースに関する前記指示メッセージは、偶数タイムスロット及び/又は奇数タイムスロットの中の指示メッセージであり、前記時間周波数リソースに関する前記指示メッセージは、周波数領域リソース位置及び開始OFDMシンボルを含むか、又は、前記時間周波数リソースに関する前記指示メッセージは、周波数領域リソース位置及びOFDMシンボル数を含む。
【００２３】
第2の態様の第6の可能な実装方法によれば、第7の可能な実装方法では、前記ダウンリンク制御情報は、さらに、前記物理ダウンリンク制御チャネルと前記物理ダウンリンク・データ・チャネルとの間のタイムスロットの関係に関する指示情報を含み、前記物理ダウンリンク制御チャネルと前記物理ダウンリンク・データ・チャネルとの間のタイムスロットの前記関係は、前記物理ダウンリンク制御チャネルが配置される現在のタイムスロット、及び/又は、前記物理ダウンリンク制御チャネルが配置される現在のタイムスロットの次のタイムスロットに、前記物理ダウンリンク・データ・チャネルが配置されることを含む。
【００２４】
第2の態様の第7の可能な実装方法によれば、第8の可能な実装方法では、前記スケジューリング情報にしたがって前記基地局から前記物理ダウンリンク・データ・チャネルを受信するステップは、
前記ダウンリンク制御情報の1ビット情報を使用することによって示されるタイムスロットの前記関係にしたがって、前記物理ダウンリンク・データ・チャネルを受信するステップを含み、
タイムスロットの前記関係は、前記物理ダウンリンク制御チャネルが配置される前記現在のタイムスロットに、前記物理ダウンリンク・データ・チャネルが配置されること、又は、前記物理ダウンリンク制御チャネルが配置される前記現在のタイムスロットの前記次のタイムスロットに、前記物理ダウンリンク・データ・チャネルが配置されることのうちの1つであるか、又は、
タイムスロットの前記関係は、前記物理ダウンリンク制御チャネルが配置される前記現在のタイムスロットに、前記物理ダウンリンク・データ・チャネルが配置されること、又は、前記物理ダウンリンク制御チャネルが配置される前記現在のタイムスロット、及び前記現在のタイムスロットの前記次のタイムスロットに、前記物理ダウンリンク・データ・チャネルが配置されることのうちの1つである。
【００２５】
第2の態様の第7の可能な実装方法によれば、第9の可能な実装方法では、前記スケジューリング情報にしたがって前記基地局から前記物理ダウンリンク・データ・チャネルを受信するステップは、
前記ダウンリンク制御情報の2ビット情報を使用することによって示されるタイムスロットの前記関係にしたがって、前記物理ダウンリンク・データ・チャネルを受信するステップを含み、
タイムスロットの前記関係は、前記物理ダウンリンク制御チャネルが配置される前記現在のタイムスロットに、前記物理ダウンリンク・データ・チャネルが配置されること、前記物理ダウンリンク制御チャネルが配置される前記現在のタイムスロットの前記次のタイムスロットに、前記物理ダウンリンク・データ・チャネルが配置されること、又は、前記物理ダウンリンク制御チャネルが配置される前記現在のタイムスロット、及び前記現在のタイムスロットの前記次のタイムスロットに、前記物理ダウンリンク・データ・チャネルが配置されることのうちの1つである。
【００２６】
第2の態様の第7の可能な実装方法によれば、第10の可能な実装方法では、前記スケジューリング情報にしたがって前記基地局から前記物理ダウンリンク・データ・チャネルを受信するステップは、
前記強化された物理リソース・ブロック対又は前記強化されたリソース・ブロック・グループの番号であるとともに前記リソース割当情報を使用することによって示される番号を使用することによって示されるタイムスロットの前記関係にしたがって前記物理ダウンリンク・データ・チャネルを受信するステップを含み、タイムスロット前記関係は、前記物理ダウンリンク制御チャネルが配置される前記現在のタイムスロットに、前記物理ダウンリンク・データ・チャネルが配置されること、前記物理ダウンリンク制御チャネルが配置される前記現在のタイムスロットの前記次のタイムスロットに、前記物理ダウンリンク・データ・チャネルが配置されること、又は、前記物理ダウンリンク制御チャネルが配置される前記現在のタイムスロット、及び前記現在のタイムスロットの前記次のタイムスロットに、前記物理ダウンリンク・データ・チャネルが配置されることのうちの1つである。
【００２７】
第3の態様によれば、本発明の実施形態は、基地局であって、
物理ダウンリンク・データ・チャネルを少なくとも1つのタイムスロットの中の時間周波数リソースにマッピングするように構成されるマッピング・モジュールであって、各々のタイムスロットの中の時間周波数リソースは、少なくとも1つの強化された物理リソース・ブロック対を含み、前記強化された物理リソース・ブロック対は、同じタイムスロットの中の1つの周波数領域において2つの連続する物理リソース・ブロックを含む、マッピング・モジュールと、
前記物理ダウンリンク・データ・チャネルをUEに送信するように構成される送信モジュールとを含む基地局を提供する。
【００２８】
第3の態様によれば、第3の態様の第1の可能な実装方法では、システム帯域幅又はコンフィギュレーション帯域幅に含まれる物理リソース・ブロックの数が偶数である場合には、各々のタイムスロットの中の時間周波数リソースは、少なくとも1つの強化された物理リソース・ブロック対を含み、又は、
前記システム帯域幅又は前記コンフィギュレーション帯域幅に含まれる物理リソース・ブロックの数が奇数である場合には、各々のタイムスロットの中の前記タイムスロット・リソースは、少なくとも1つの強化された物理リソース・ブロック対及び/又は1つの物理リソース・ブロックを含み、前記物理リソース・ブロックは、各々のタイムスロットの中の前記周波数領域において最も高い物理リソース・ブロックであり、前記コンフィギュレーション帯域幅は、前記UEに割り当てられる帯域幅である。
【００２９】
第3の態様の第1の可能な実装方法によれば、第2の可能な実装方法では、前記送信モジュールは、さらに、ダウンリンク制御情報を搬送する物理ダウンリンク制御チャネルを使用することによって、前記物理ダウンリンク・データ・チャネルのためのスケジューリング情報を前記UEに送信するように構成され、
前記スケジューリング情報は、前記少なくとも1つのタイムスロットの中の前記時間周波数リソースに関する前記物理ダウンリンク・データ・チャネルのためのリソース割当情報を含み、前記ダウンリンク制御情報は、前記強化された物理リソース・ブロック対又は強化されたリソース・ブロック・グループの基本単位で、前記物理ダウンリンク・データ・チャネルのためのリソース割当情報を含み、
前記強化されたリソース・ブロック・グループは、同じタイムスロットの中の前記周波数領域においてP個の連続する強化された物理リソース・ブロック対を含み、Pは、前記システム帯域幅にしたがって決定される正の整数であるか、又は、
前記強化されたリソース・ブロック・グループは、同じタイムスロットの中の前記周波数領域においてP個又はQ個の連続する強化された物理リソース・ブロック対を含み、Qは、P以下の正の整数である。
【００３０】
第3の態様の第2の可能な実装方法によれば、第3の可能な実装方法では、前記送信モジュールは、さらに、前記物理ダウンリンク・データ・チャネルを前記UEに送信する前に、RRCシグナリングを使用することによって、時間周波数リソースに関する指示メッセージを前記UEに送信するように構成され、それによって、前記UEは、前記時間周波数リソースに関する前記指示メッセージにしたがって、前記物理ダウンリンク制御チャネルを使用することによって送信される前記ダウンリンク制御情報を受信し、
前記時間周波数リソースに関する前記指示メッセージは、偶数タイムスロット及び/又は奇数タイムスロットの中の前記時間周波数リソースに関する指示メッセージであり、前記時間周波数リソースに関する前記指示メッセージは、周波数領域リソース位置及び開始OFDMシンボルを含むか、又は、前記時間周波数リソースに関する前記指示メッセージは、周波数領域リソース位置及びOFDMシンボル数を含み、
それに対応して、前記送信モジュールは、さらに、前記時間周波数リソースに関する前記指示メッセージにしたがって、前記物理ダウンリンク制御チャネルを使用することによって前記UEに前記ダウンリンク制御情報を送信するように構成される。
【００３１】
第3の態様の第3の可能な実装方法によれば、第4の可能な実装方法では、前記ダウンリンク制御情報は、さらに、前記物理ダウンリンク制御チャネルと前記物理ダウンリンク・データ・チャネルとの間のタイムスロットの関係に関する指示情報を含み、前記物理ダウンリンク制御チャネルと前記物理ダウンリンク・データ・チャネルとの間のタイムスロットの前記関係は、前記物理ダウンリンク制御チャネルが配置される現在のタイムスロット、及び/又は、前記物理ダウンリンク制御チャネルが配置される現在のタイムスロットの次のタイムスロットに前記物理ダウンリンク・データ・チャネルが配置されることを含む。
【００３２】
第4の態様によれば、本発明の実施形態は、UEであって、
ダウンリンク制御情報を搬送する物理ダウンリンク制御チャネルを使用することによって基地局から送信されるとともに物理ダウンリンク・データ・チャネルのためのスケジューリング情報を受信し、前記スケジューリング情報にしたがって、前記基地局から前記物理ダウンリンク・データ・チャネルを受信するように構成される受信モジュールを含み、
前記スケジューリング情報は、少なくとも1つのタイムスロットの中の時間周波数リソースに関する前記物理ダウンリンク・データ・チャネルのためのリソース割当情報を含み、各々のタイムスロットの中の時間周波数リソースは、少なくとも1つの強化された物理リソース・ブロック対を含み、前記強化された物理リソース・ブロック対は、同じタイムスロットの中の1つの周波数領域において2つの連続する物理リソース・ブロックを含む。
【００３３】
第4の態様によれば、第4の態様の第1の可能な実装方法では、システム帯域幅又はコンフィギュレーション帯域幅に含まれる物理リソース・ブロックの数が偶数である場合には、各々のタイムスロットの中の前記時間周波数リソースは、少なくとも1つの強化された物理リソース・ブロック対を含み、又は、
前記システム帯域幅又は前記コンフィギュレーション帯域幅に含まれる物理リソース・ブロックの数が奇数である場合には、各々のタイムスロットの中の前記時間周波数リソースは、少なくとも1つの強化された物理リソース・ブロック対及び/又は1つの物理リソース・ブロックを含み、前記物理リソース・ブロックは、各々のタイムスロットの中の前記周波数領域において最も高い物理リソース・ブロックであり、前記コンフィギュレーション帯域幅は、当該UEに割り当てられる帯域幅である。
【００３４】
第4の態様の第1の可能な実装方法によれば、第2の可能な実装方法では、前記リソース割当情報は、前記強化された物理リソース・ブロック対又は強化されたリソース・ブロック・グループの基本単位で、前記物理ダウンリンク・データ・チャネルのためのリソース割当情報を含み、
前記強化されたリソース・ブロック・グループは、同じタイムスロットの中の前記周波数領域においてP個の連続する強化された物理リソース・ブロック対を含み、Pは、前記システム帯域幅にしたがって決定される正の整数であるか、又は、
前記強化されたリソース・ブロック・グループは、同じタイムスロットの中の前記周波数領域においてP個又はQ個の連続する強化された物理リソース・ブロック対を含み、Qは、P以下の正の整数であり、
それに対応して、当該UEは、さらに、
前記スケジューリング情報にしたがって前記基地局から前記物理ダウンリンク・データ・チャネルを受信する前に、前記強化された物理リソース・ブロック対のリソース位置であるとともに前記基地局によって前記物理ダウンリンク・データ・チャネルに割り当てられるリソース位置を前記リソース割当情報にしたがって決定するように構成される決定モジュールを含み、
前記受信モジュールは、さらに、前記強化された物理リソース・ブロック対の前記割り当てられるリソース位置において、前記基地局から前記物理ダウンリンク・データ・チャネルを受信するように構成される。
【００３５】
第4の態様の第2の可能な実装方法によれば、第3の可能な実装方法では、当該UEは、さらに、
前記スケジューリング情報にしたがって前記基地局から前記物理ダウンリンク・データ・チャネルを受信する前に、同じタイムスロットの中の2つのダウンリンク制御情報フォーマットにしたがって、物理ダウンリンク制御チャネルでブラインド検出を実行するように構成される検出モジュールを含み、
決定モジュールはさらに、前記ブラインド検出の測定結果にしたがって、前記スケジューリング情報を決定するように構成され、
前記2つのダウンリンク制御情報フォーマットにしたがって前記物理ダウンリンク制御チャネルを使用することによってスケジューリングされる前記物理ダウンリンク・データ・チャネルは、複数の異なる送信時間間隔を有する。
【００３６】
第4の態様乃至第4の態様の第3の可能な実装方法のうちのいずれか1つによれば、第4の可能な実装方法では、前記受信モジュールは、さらに、前記スケジューリング情報にしたがって、前記基地局から前記物理ダウンリンク・データ・チャネルを受信する前に、RRCシグナリングを使用することによって前記基地局によって送信されるとともに時間周波数リソースに関する指示メッセージである指示メッセージを受信し、前記時間周波数リソースに関する前記指示メッセージにしたがって、前記物理ダウンリンク制御チャネルを使用することによって送信される前記ダウンリンク制御情報を受信するように構成され、
前記時間周波数リソースに関する前記指示メッセージは、偶数タイムスロット及び/又は奇数タイムスロットにおける指示メッセージであり、前記時間周波数リソースに関する前記指示メッセージは、周波数領域リソース位置及び開始OFDMシンボルを含むか、又は、前記時間周波数リソースに関する前記指示メッセージは、周波数領域リソース位置及びOFDMシンボル数を含む。
【００３７】
第4の態様の第4の可能な実装方法によれば、第5の可能な実装方法では、前記ダウンリンク制御情報は、さらに、前記物理ダウンリンク制御チャネルと前記物理ダウンリンク・データ・チャネルとの間のタイムスロットの関係に関する指示情報を含み、前記物理ダウンリンク制御チャネルと前記物理ダウンリンク・データ・チャネルとの間のタイムスロットの前記関係は、前記物理ダウンリンク制御チャネルが配置される現在のタイムスロット、及び/又は、前記物理ダウンリンク制御チャネルが配置される現在のタイムスロットの次のタイムスロットに前記物理ダウンリンク・データ・チャネルが配置されることを含む。
【００３８】
第4の態様の第5の可能な実装方法によれば、第6の可能な実装方法では、前記受信モジュールは、さらに、前記ダウンリンク制御情報の1ビット情報を使用することによって示されるタイムスロットの前記関係にしたがって、前記物理ダウンリンク・データ・チャネルを受信するように構成され、
タイムスロットの前記関係は、前記物理ダウンリンク制御チャネルが配置される現在のタイムスロットに、前記物理ダウンリンク・データ・チャネルが配置されること、又は、前記物理ダウンリンク制御チャネルが配置される前記現在のタイムスロットの前記次のタイムスロットに、前記物理ダウンリンク・データ・チャネルが配置されることのうちの1つであり、又は、
タイムスロットの前記関係は、前記物理ダウンリンク制御チャネルが配置される前記現在のタイムスロットに、前記物理ダウンリンク・データ・チャネルが配置されること、又は、前記物理ダウンリンク制御チャネルが配置される前記現在のタイムスロット、及び前記現在のタイムスロットの前記次のタイムスロットに、前記物理ダウンリンク・データ・チャネルが配置されることのうちの1つである。
【００３９】
第4の態様の第5の可能な実装方法によれば、第7の可能な実装方法では、前記受信モジュールは、さらに、前記ダウンリンク制御情報の2ビット情報を使用することによって示されるタイムスロットの前記関係にしたがって前記物理ダウンリンク・データ・チャネルを受信するように構成され、
タイムスロットの前記関係は、前記物理ダウンリンク制御チャネルが配置される前記現在のタイムスロットに、前記物理ダウンリンク・データ・チャネルが配置されること、前記物理ダウンリンク制御チャネルが配置される前記現在のタイムスロットの前記次のタイムスロットに、前記物理ダウンリンク・データ・チャネルが配置されること、又は、前記物理ダウンリンク制御チャネルが配置される前記現在のタイムスロット、及び前記現在のタイムスロットの前記次のタイムスロットに、前記物理ダウンリンク・データ・チャネルが配置されることのうちの1つである。
【００４０】
第4の態様の第5の可能な実装方法によれば、第8の可能な実装方法では、前記受信モジュールは、さらに、前記強化された物理リソース・ブロック対又は前記強化されたリソース・ブロック・グループの番号であるとともに前記リソース割当情報によって示される番号を使用することによって示されるタイムスロットの前記関係にしたがって前記物理ダウンリンク・データ・チャネルを受信するように構成され、
タイムスロットの前記関係は、前記物理ダウンリンク制御チャネルが配置される前記現在のタイムスロットに、前記物理ダウンリンク・データ・チャネルが配置されること、前記物理ダウンリンク制御チャネルが配置される前記現在のタイムスロットの前記次のタイムスロットに、前記物理ダウンリンク・データ・チャネルが配置されること、又は、前記物理ダウンリンク制御チャネルが配置される前記現在のタイムスロット、及び前記現在のタイムスロットの前記次のタイムスロットに、前記物理ダウンリンク・データ・チャネルが配置されることのうちの1つである。
【００４１】
第5の態様によれば、本発明の実施形態は、受信機、プロセッサ、及び送信機を含む基地局を提供し、
前記プロセッサは、物理ダウンリンク・データ・チャネルを少なくとも1つのタイムスロットの中の時間周波数リソースにマッピングするように構成され、各々のタイムスロットの中の時間周波数リソースは、少なくとも1つの強化された物理リソース・ブロック対を含み、前記強化された物理リソース・ブロック対は、同じタイムスロットの中の1つの周波数領域において2つの連続する物理リソース・ブロックを含み、
前記送信機は、UEに前記物理ダウンリンク・データ・チャネルを送信するように構成される。
【００４２】
第5の態様によれば、第5の態様の第1の可能な実装方法では、システム帯域幅又はコンフィギュレーション帯域幅に含まれる物理リソース・ブロックの数が偶数である場合には、各々のタイムスロットの中の前記時間周波数リソースは、少なくとも1つの強化された物理リソース・ブロック対を含み、或いは、
前記システム帯域幅又は前記コンフィギュレーション帯域幅に含まれる物理リソース・ブロックの数が奇数である場合には、各々のタイムスロットの中の前記時間周波数リソースは、少なくとも1つの強化された物理リソース・ブロック対、及び/又は1つの物理リソース・ブロックを含み、前記物理リソース・ブロックは、各々のタイムスロットの中の前記周波数領域において最も高い物理リソース・ブロックであり、前記コンフィギュレーション帯域幅は、前記UEに割り当てられる帯域幅である。
【００４３】
第5の態様の第1の可能な実装方法によれば、第2の可能な実装方法では、前記送信機は、さらに、ダウンリンク制御情報を搬送する物理ダウンリンク制御チャネルを使用することによって、前記物理ダウンリンク・データ・チャネルのためのスケジューリング情報を前記UEに送信するように構成され、
前記スケジューリング情報は、前記少なくとも1つのタイムスロットの中の前記時間周波数リソースに関する前記物理ダウンリンク・データ・チャネルのためのリソース割当情報を含み、前記ダウンリンク制御情報は、前記強化された物理リソース・ブロック対又は強化されたリソース・ブロック・グループの基本単位で、前記物理ダウンリンク・データ・チャネルのためのリソース割当情報を含み、
前記強化されたリソース・ブロック・グループは、同じタイムスロットの中の前記周波数領域においてP個の連続する強化された物理リソース・ブロック対を含み、Pは、前記システム帯域幅にしたがって決定される正の整数であるか、或いは、
前記強化されたリソース・ブロック・グループは、同じタイムスロットの中の前記周波数領域においてP個又はQ個の連続する強化された物理リソース・ブロック対を含み、Qは、P以下の正の整数である。
【００４４】
第5の態様の第2の可能な実装方法によれば、第3の可能な実装方法では、前記送信機は、さらに、前記UEに前記物理ダウンリンク・データ・チャネルを送信する前に、RRCシグナリングを使用することによって、時間周波数リソースに関する指示メッセージを前記UEに送信するように構成され、それによって、前記UEは、前記物理ダウンリンク制御チャネルを使用することによって送信された前記ダウンリンク制御情報を、前記時間周波数リソースに関する前記指示メッセージにしたがって受信し、
前記時間周波数リソースに関する前記指示メッセージは、偶数タイムスロット及び/又は奇数タイムスロットにおける前記時間周波数リソースに関する指示メッセージであり、前記時間周波数リソースに関する指示メッセージは、周波数領域リソース位置及び開始OFDMシンボルを含むか、又は、前記時間周波数リソースに関する前記指示メッセージは、周波数領域リソース位置及びOFDMシンボル数を含み、
それに対応して、前記送信機は、さらに、前記時間周波数リソースに関する前記指示メッセージにしたがって、前記物理ダウンリンク制御チャネルを使用することによって前記UEに前記ダウンリンク制御情報を送信するように構成される。
【００４５】
第5の態様の第3の可能な実装方法によれば、第4の可能な実装方法では、前記ダウンリンク制御情報は、さらに、前記物理ダウンリンク制御チャネルと前記物理ダウンリンク・データ・チャネルとの間のタイムスロットの関係に関する指示情報を含み、前記物理ダウンリンク制御チャネルと前記物理ダウンリンク・データ・チャネルとの間のタイムスロットの前記関係は、前記物理ダウンリンク制御チャネルが配置される現在のタイムスロット及び/又は前記物理ダウンリンク制御チャネルが配置される現在のタイムスロットの次のタイムスロットに、前記物理ダウンリンク・データ・チャネルが配置されることを含む。
【００４６】
第6の態様によれば、本発明の実施形態は、受信機、プロセッサ、及び送信機を含むUEをさらに提供し、
受信機は、ダウンリンク制御情報を搬送する物理ダウンリンク制御チャネルを使用することによって基地局から送信されるとともに物理ダウンリンク・データ・チャネルのためのスケジューリング情報を受信し、前記スケジューリング情報にしたがって、前記基地局から前記物理ダウンリンク・データ・チャネルを受信するように構成され、
前記スケジューリング情報は、少なくとも1つのタイムスロットの中の時間周波数リソースに関する前記物理ダウンリンク・データ・チャネルのためのリソース割当情報を含み、各々のタイムスロットの中の時間周波数リソースは、少なくとも1つの強化された物理リソース・ブロック対を含み、前記強化された物理リソース・ブロック対は、同じタイムスロットの中の1つの周波数領域において2つの連続する物理リソース・ブロックを含む。
【００４７】
第6の態様によれば、第6の態様の第1の可能な実装方法では、システム帯域幅又はコンフィギュレーション帯域幅に含まれる物理リソース・ブロックの数が偶数である場合には、各々のタイムスロットの中の前記時間周波数リソースは、少なくとも1つの強化された物理リソース・ブロック対を含み、
前記システム帯域幅又は前記コンフィギュレーション帯域幅に含まれる物理リソース・ブロックの数が奇数である場合には、各々のタイムスロットの中の前記時間周波数リソースは、少なくとも1つの強化された物理リソース・ブロック対及び/又は1つの物理リソース・ブロックを含み、前記物理リソース・ブロックは、各々のタイムスロットの中の前記周波数領域において最も高い物理リソース・ブロックであり、前記コンフィギュレーション帯域幅は、前記UEに割り当てられる帯域幅である。
【００４８】
第6の態様の第1の可能な実装方法によれば、第2の可能な実装方法では、前記リソース割当情報は、前記強化された物理リソース・ブロック対又は強化されたリソース・ブロック・グループの基本単位で、前記物理ダウンリンク・データ・チャネルのためのリソース割当情報を含み、
前記強化されたリソース・ブロック・グループは、同じタイムスロットの中の前記周波数領域においてP個の連続する強化された物理リソース・ブロック対を含み、Pは、前記システム帯域幅にしたがって決定される正の整数であるか、又は、
前記強化されたリソース・ブロック・グループは、同じタイムスロットの中の前記周波数領域においてP個又はQ個の連続する強化された物理リソース・ブロック対を含み、Qは、P以下の正の整数であり、
それに対応して、前記プロセッサは、さらに、前記スケジューリング情報にしたがって前記基地局から前記物理ダウンリンク・データ・チャネルを受信する前に、前記強化された物理リソース・ブロック対のリソース位置であるとともに前記基地局によって前記物理ダウンリンク・データ・チャネルに割り当てられるリソース位置を前記リソース割当情報にしたがって決定するように構成され、
前記受信機は、さらに、前記強化された物理リソース・ブロック対の前記割り当てられるリソース位置において、前記基地局から前記物理ダウンリンク・データ・チャネルを受信するように構成される。
【００４９】
第6の態様の第2の可能な実装方法によれば、第3の可能な実装方法では、前記プロセッサは、さらに、前記スケジューリング情報にしたがって前記基地局から前記物理ダウンリンク・データ・チャネルを受信する前に、同じタイムスロットの中の2つのダウンリンク制御情報フォーマットにしたがって、物理ダウンリンク制御チャネルでブラインド検出を実行し、前記ブラインド検出の測定結果にしたがって、前記スケジューリング情報を決定するように構成され、
前記2つのダウンリンク制御情報フォーマットにしたがって前記物理ダウンリンク制御チャネルを使用することによってスケジューリングされる前記物理ダウンリンク・データ・チャネルは、複数の異なる送信時間間隔を有する。
【００５０】
第6の態様乃至第6の態様の第3の可能な実装方法のうちのいずれか1つによれば、第4の可能な実装方法では、前記受信機は、さらに、前記スケジューリング情報にしたがって、前記基地局から前記物理ダウンリンク・データ・チャネルを受信する前に、RRCシグナリングを使用することによって前記基地局によって送信されるとともに時間周波数リソースに関する指示メッセージである指示メッセージを受信し、前記時間周波数リソースに関する前記指示メッセージにしたがって、前記物理ダウンリンク制御チャネルを使用することによって送信される前記ダウンリンク制御情報を受信するように構成され、
前記時間周波数リソースに関する前記指示メッセージは、偶数タイムスロット及び/又は奇数タイムスロットにおける指示メッセージであり、前記時間周波数リソースに関する前記指示メッセージは、周波数領域リソース位置及び開始OFDMシンボルを含むか、又は、前記時間周波数リソースに関する前記指示メッセージは、周波数領域リソース位置及びOFDMシンボル数を含む。
【００５１】
第6の態様の第4の可能な実装方法によれば、第5の可能な実装方法では、前記ダウンリンク制御情報は、さらに、前記物理ダウンリンク制御チャネルと前記物理ダウンリンク・データ・チャネルとの間のタイムスロットの関係に関する指示情報を含み、前記物理ダウンリンク制御チャネルと前記物理ダウンリンク・データ・チャネルとの間のタイムスロットの前記関係は、前記物理ダウンリンク制御チャネルが配置される現在のタイムスロット及び/又は前記物理ダウンリンク制御チャネルが配置される現在のタイムスロットの次のタイムスロットに、前記物理ダウンリンク・データ・チャネルが配置されることを含む。
【００５２】
第6の態様の第5の可能な実装方法によれば、第6の可能な実装方法では、前記受信機は、さらに、前記ダウンリンク制御情報の1ビット情報を使用することによって示されるタイムスロットの前記関係にしたがって、前記物理ダウンリンク・データ・チャネルを受信するように構成され、
タイムスロットの前記関係は、前記物理ダウンリンク制御チャネルが配置される前記現在のタイムスロットに、前記物理ダウンリンク・データ・チャネルが配置されること、又は、前記物理ダウンリンク制御チャネルが配置される前記現在のタイムスロットの前記次のタイムスロットに、前記物理ダウンリンク・データ・チャネルが配置されることのうちの1つであり、又は、
タイムスロットの前記関係は、前記物理ダウンリンク制御チャネルが配置される前記現在のタイムスロットに、前記物理ダウンリンク・データ・チャネルが配置されること、又は、前記物理ダウンリンク制御チャネルが配置される前記現在のタイムスロット、及び前記現在のタイムスロットの前記次のタイムスロットに、前記物理ダウンリンク・データ・チャネルが配置されることのうちの1つである。
【００５３】
第6の態様の第5の可能な実装方法にしたがって、第7の可能な実装方法では、前記受信機は、さらに、前記ダウンリンク制御情報の2ビット情報を使用することによって示されるタイムスロットの前記関係にしたがって前記物理ダウンリンク・データ・チャネルを受信するように構成され、
タイムスロットの前記関係は、前記物理ダウンリンク制御チャネルが配置される前記現在のタイムスロットに、前記物理ダウンリンク・データ・チャネルが配置されること、前記物理ダウンリンク制御チャネルが配置される前記現在のタイムスロットの前記次のタイムスロットに、前記物理ダウンリンク・データ・チャネルが配置されること、又は、前記物理ダウンリンク制御チャネルが配置される前記現在のタイムスロット、及び前記現在のタイムスロットの前記次のタイムスロットに、前記物理ダウンリンク・データ・チャネルが配置されることのうちの1つである。
【００５４】
第6の態様の第5の可能な実装方法によれば、第8の可能な実装方法では、前記受信機は、さらに、前記強化された物理リソース・ブロック対又は前記強化されたリソース・ブロック・グループの番号であるとともに前記リソース割当情報によって示される番号を使用することによって示されるタイムスロットの前記関係にしたがって前記物理ダウンリンク・データ・チャネルを受信するように構成され、
タイムスロットの前記関係は、前記物理ダウンリンク制御チャネルが配置される前記現在のタイムスロットに、前記物理ダウンリンク・データ・チャネルが配置されること、前記物理ダウンリンク制御チャネルが配置される前記現在のタイムスロットの前記次のタイムスロットに、前記物理ダウンリンク・データ・チャネルが配置されること、又は、前記物理ダウンリンク制御チャネルが配置される前記現在のタイムスロット、及び前記現在のタイムスロットの前記次のタイムスロットに、前記物理ダウンリンク・データ・チャネルが配置されることのうちの1つである。
【００５５】
本発明の実施形態において提供された物理ダウンリンク・データ・チャネル送信方法、基地局、及びユーザ機器にしたがって、物理ダウンリンク・データ・チャネルは、少なくとも1つのタイムスロットの中の時間周波数リソースにマッピングされる。各々の時間周波数リソースは、少なくとも1つの強化された物理リソース・ブロック対を含み、各々の強化された物理リソース・ブロック対は、同じタイムスロットの中の1つの周波数領域において2つの連続する物理リソース・ブロックを含み、それによって、その物理ダウンリンク・データ・チャネルへの割当は、実際には、周波数領域における優先順位に従った時間周波数リソース割当となる。したがって、物理ダウンリンク・データ・チャネルの送信時間間隔が短縮され、エア・インターフェース送信時間が短縮される。
【図面の簡単な説明】
【００５６】
本発明の実施形態又は先行技術における技術的解決方法をより明確に記述するために、以下では、実施形態又は先行技術を記述するために必要とされる添付図面を簡潔に記述する。明らかに、以下の記述における添付図面は、本発明のいくつかの実施形態を図示しており、当業者は、創造的な努力なしで、これら添付図面から他の図面をさらに導出し得る。
【００５７】
【図１】本発明の実施形態1にしたがった物理ダウンリンク・データ・チャネル送信方法のフローチャートである。
【図２】本発明の実施形態2にしたがった物理ダウンリンク・データ・チャネル送信方法のフローチャートである。
【図３】本発明の実施形態4にしたがった物理ダウンリンク・データ・チャネル送信方法のフローチャートである。
【図４】本発明の実施形態5にしたがった物理ダウンリンク・データ・チャネル送信方法のフローチャートである。
【図５】本発明の実施形態6にしたがった物理ダウンリンク・データ・チャネル送信方法のフローチャートである。
【図６】本発明の実施形態7にしたがった基地局の概要構成図である。
【図７】本発明の実施形態8にしたがったUEの概要構成図である。
【図８】本発明の実施形態9にしたがった基地局の概要構成図である。
【図９】本発明の実施形態10にしたがったUEの概要構成図である。
【発明を実施するための形態】
【００５８】
本発明の実施形態の目的、技術的解決方法、及び利点をより明確にするために、以下では、本発明の実施形態において添付図面を参照して本発明の実施形態における技術的解決方法をより明確かつより完全に記述する。明らかに、記述された実施形態は、本発明の実施形態のいくつかであって、すべてではない。創造的な努力なしで、本発明の実施形態に基づいて当業者によって得られた他のすべての実施形態は、本発明の保護範囲内にあるものとする。
【００５９】
実施形態1
図1は、本発明の実施形態1にしたがった物理ダウンリンク・データ・チャネル送信方法のフローチャートである。本実施形態における方法は、産業制御シナリオにおけるM2M通信に適用可能である。この方法は、送信装置によって実行され、この装置は、一般に、ハードウェア及び/又はソフトウェアを使用することによって実施され、ネットワーク側デバイスへ統合される。ネットワーク側デバイスは、基地局、進化型NodeB、ピコセル基地局等であってもよい。図1に図示されるように、この方法は、以下のステップを含む。
【００６０】
ステップS101:物理ダウンリンク・データ・チャネルを少なくとも1つのタイムスロットの中の時間周波数リソースにマッピングし、各々のタイムスロットの中の時間周波数リソースは、少なくとも1つの強化された物理リソース・ブロック対を含み、前記強化された物理リソース・ブロック対は、同じタイムスロットの中の1つの周波数領域において2つの連続する物理リソース・ブロックを含む。
【００６１】
本実施形態では、特に、周波数分割複信(Frequency  Division  Duplexing、略してFDD)LTEが、説明及び記述のための例として使用される。FDD  LTEでは、無線フレームは10のサブフレームを含み、各々のサブフレームは、2つのタイムスロット(slot)を含む。各スロットは0．5ミリ秒である。先行技術では、サブフレームは、最も小さな送信単位である。したがって、先行技術において、物理ダウンリンク・データ・チャネルを送信するための最小の送信時間間隔は、1サブフレーム、すなわち、2つのタイムスロット：1ミリ秒である。既存の規格において設計されているリソース割当方法及び送信ブロック・サイズ(Transmission  Block  Size、略してTBS)を最大限に活用するために、既存のPRBペアが本実施形態において再定義され、現在及び以前の定義方式における両PRBペアが、同じ数のPRBを含むことが保証される。
【００６２】
本実施形態では、各々のタイムスロットの中の時間周波数リソースは、少なくとも1つの強化された物理リソース・ブロック対(Enhanced  Physical  Resource  Block  Pair、略してePRB対)を含む。ePRB対は、先行技術における物理リソース・ブロック対(Physical  Resource  Block  Pair、略してPRB)とは異なり、違いは、PRBペアが、同じ周波数領域位置における時間領域において2つの連続するPRBを含む一方、ePRB対が、同じタイムスロットの中の1つの周波数領域において2つの連続するPRBを含むことにある。各々のタイムスロットの中の周波数領域リソースが、少なくとも1つのPRBペアを含むのであれば、すなわち、2つのスロットにおける時間領域において特定の数の連続するPRBが、物理ダウンリンク・データ・チャネルへ割り当てられるのであれば、物理ダウンリンク・データ・チャネルの最小送信時間間隔は2スロットである。しかしながら、本実施形態では、各々のタイムスロットの中の周波数領域リソースは、少なくとも1つのePRB対を含み、そのePRB対は、同じタイムスロットの中の1つの周波数領域において2つの連続するPRBを含み、それによって、物理ダウンリンク・データ・チャネルの最小送信時間間隔を、1つのタイムスロット、すなわち、1スロットとすることができる。
【００６３】
各々のタイムスロットの中の時間周波数リソースは、少なくとも1つのePRB対を含む。より大きな数のePRB対は、UEによって占有される、より広い周波数帯域を示す。
【００６４】
ステップS102:物理ダウンリンク・データ・チャネルをUEに送信する。
【００６５】
本実施形態の解決方法では、物理ダウンリンク・データ・チャネルは、少なくとも1つのタイムスロットの中の時間周波数リソースにマッピングされる。各々の時間周波数リソースは、少なくとも1つの強化された物理リソース・ブロック対を含み、各々の強化された物理リソース・ブロック対は、同じタイムスロットの中の周波数領域において2つの連続する物理リソース・ブロックを含み、それによって、その物理ダウンリンク・データ・チャネルへの割当は、実際には、周波数領域における優先順位に従った時間周波数リソース割当となる。したがって、物理ダウンリンク・データ・チャネルの送信時間間隔が短縮され、エア・インターフェース送信時間が短縮される。
【００６６】
本実施形態の解決方法にしたがって、エア・インターフェース送信時間を短縮することができ、それによって、M2M通信の適用可能なシナリオに課される送信時間の制限をより小さくすることができる。
【００６７】
さらに、前述した解決方法では、システム帯域幅又はコンフィギュレーション帯域幅に含まれるPRBの数が偶数であれば、各々のタイムスロットの中の時間周波数リソースは、少なくとも1つのePRB対を含み、又は、
システム帯域幅又はコンフィギュレーション帯域幅に含まれるPRBの数が奇数であれば、各々のタイムスロットの中の時間周波数リソースは、少なくとも1つのePRB対及び/又は1つのPRBを含む。PRBは、各々のタイムスロットの中の周波数領域において最も高い物理リソース・ブロックである。コンフィギュレーション帯域幅は、UEへ割り当てられた帯域幅である。
【００６８】
選択的に、各々のタイムスロットの中の周波数領域リソースに含まれるePRB対を第1のePRB対として使用することができ、そのPRBを第2のePRB対として使用することができる。その後、各々のタイムスロットの中の周波数領域リソースは、少なくとも1つの第1のePRB対及び1つの第2のePRB対を含む。第1のePRB対は、同じタイムスロットの中の1つの周波数領域において2つの連続するPRBを含んでもよく、第2のePRB対は、各々のタイムスロットの中の周波数領域において最も高いPRBを含んでもよい。
【００６９】
異なるシステム帯域幅は、異なる数のPRBを含む。例えば、5Mのシステム帯域幅は、25のPRBを含み、10Mのシステム帯域幅は、50のPRBを含み、20Mのシステム帯域幅は、100のPRBを含む。
【００７０】
システム帯域幅に含まれるPRBの数が、50のような偶数であれば、各々のタイムスロットにおいて25のePRB対が存在してもよく、各々のePRB対は、同じタイムスロットの中の1つの周波数領域において2つの連続するPRBを含む。本実施形態において、各々のタイムスロットに含まれ、物理ダウンリンク・データ・チャネルがマッピングされる時間周波数リソースは、現在のシステムにおける25のePRB対のうちの少なくとも1つであってもよい。
【００７１】
システム帯域幅に含まれるPRBの数が、25のような奇数であれば、各々のタイムスロットにおいて12のePRB対と1つのPRBが存在してもよく、そのPRBは、周波数領域において最も高い。12のePRB対は各々、同じタイムスロットの中の1つの周波数領域において2つの連続するPRBを含む。本実施形態において、各々のタイムスロットに含まれ、物理ダウンリンク・データ・チャネルがマッピングされる時間周波数リソースは、12のePRB対及び/又は周波数領域における1つの最も高いPRBのうちの少なくとも1つであってもよい。
【００７２】
コンフィギュレーション帯域幅は、UEへ割り当てられる帯域幅である。
【００７３】
それに対応して、少なくとも1つのタイムスロットに含まれ、前述した物理ダウンリンク・データ・チャネルがマッピングされる時間周波数リソースは、システム帯域幅又はコンフィギュレーション帯域幅の中の少なくとも1つのタイムスロットにおいて時間周波数リソースを含む。
【００７４】
少なくとも1つのタイムスロットの中の時間周波数リソースが、コンフィギュレーション帯域幅内の少なくとも1つのタイムスロットの中の時間周波数リソースである場合には、コンフィギュレーション帯域幅内で、本実施形態における方法を使用することによって、物理ダウンリンク・データ・チャネルが少なくとも1つのタイムスロットの中の時間周波数リソースにマッピングされる。特に、例えば、システム帯域幅は、50のPRBを含む。ユーザのコンフィギュレーション帯域幅が、20のPRBの幅であれば、各々のタイムスロットの中のコンフィギュレーション帯域幅は、10のePRB対を含み、各々のePRB対は、同じタイムスロットの中の1つの周波数領域において2つの連続するPRBを含む。ユーザのコンフィギュレーション帯域幅が、25のPRBの幅であれば、各々のタイムスロットの中に12のePRB対及び1つのPRBが存在する。12のePRB対は各々、同じタイムスロットの中の1つの周波数領域において2つの連続するPRBを含み、PRBは、各々のタイムスロットの中の最後のPRB、すなわち、周波数領域における最も高いPRBである。
【００７５】
実施形態2
本実施形態はさらに、物理ダウンリンク・データ・チャネル送信方法を提供する。図2は、本発明の実施形態2に従う物理ダウンリンク・データ・チャネル送信方法のフローチャートである。図2に図示されるように、前述した実施形態に基づいて、本実施形態はさらに以下のステップを含む。
【００７６】
ステップS201:ダウンリンク制御情報を搬送する物理ダウンリンク制御チャネルを使用することによって、物理ダウンリンク・データ・チャネルのためのスケジューリング情報をUEに送信し、スケジューリング情報は、少なくとも1つのタイムスロットの中の時間周波数リソースに関する物理ダウンリンク・データ・チャネルのためのリソース割当情報を含む。
【００７７】
特に、ダウンリンク制御情報(Downlink  Control  Information、略してDCI)を搬送する物理ダウンリンク制御チャネルは、物理ダウンリンク制御チャネル(Physical  Downlink  Control  Channel、略してPDCCH)、又は、強化された物理ダウンリンク制御チャネル(Enhanced  Physical  Downlink  Control  Channel、略してePDCCH)であってもよい。PDCCH及びePDCCHのリソース・マッピング方式のような態様におけるコンテンツに関しては、3GPP  36．211を参照すべきである。物理ダウンリンク制御チャネルを使用することによってスケジューリング情報がUEに送信され、それによって、UEは、スケジューリング情報の中で搬送されるリソース割当情報にしたがって、少なくとも1つのタイムスロットの中の時間周波数リソースにおいて物理ダウンリンク・データ・チャネルを受信する。
【００７８】
DCIは、ePRB対又はeRBGの基本単位で、物理ダウンリンク・データ・チャネルのためのリソース割当情報を含む。すなわち、リソース割当情報によって示される時間周波数リソースの最小の粒度は、1つのePRB対又は1つのeRBGであり、示された時間周波数リソースは、いくつかのePRB対又はいくつかのeRBGを含む。リソース割当情報は、割り当てられたePRB対又は割り当てられたeRBGの特定の位置を示す。
【００７９】
eRBGは、同じタイムスロットの中の周波数領域において連続するP個のePRB対を含み、Pは、現在のシステム帯域幅にしたがって決定される正の整数であるか、又は、
eRBGは、同じタイムスロットの中の周波数領域において連続するP個又はQ個のePRB対を含み、Qは、P以下の正の整数である。
【００８０】
特に、異なるシステム帯域幅は、異なるPの値に対応する。Pの値は、システム帯域幅に含まれるPRBの数にしたがって、システム帯域幅とPの値との間のあらかじめ記憶された対応関係の表を照会することによって取得されてもよい。例えば、システム帯域幅とPの値との対応関係の表は、以下の表1に図示されてもよい。
【００８１】
【表１】
0006403871.tif 000002
【００８２】
例えば、5Mのシステム帯域幅は、25のPRBを含み、10Mのシステム帯域幅は、50のPRBを含み、20Mのシステム帯域幅は、100のPRBを含む。図1に図示されるように、5Mのシステム帯域幅は、25のRBを含むので、この表にしたがって照会することによって取得することができる対応するPの値は2である。システム帯域幅が10Mであれば、この表にしたがって照会することによって取得することができる対応するPの値は3である。
【００８３】
システム帯域幅に含まれるPRBの数が、2Pの整数倍であれば、各々のタイムスロットの中の時間周波数リソースは、周波数領域において連続するいくつかのeRBGを含んでもよく、各々のeRBGは、周波数領域において連続するP個のePRB対を含む。システム帯域幅に含まれるPRBの数が2Pの整数倍ではないのであれば、各々のタイムスロットの中の周波数領域リソースは、周波数領域において連続しており周波数領域において連続するP個のePRB対を含むいくつかのeRBGと、周波数領域において連続するQ個のePRB対を含む1つのeRBGとを含んでもよい。
【００８４】
同じタイムスロットにおける周波数領域において連続しておりeRBGに含まれるePRB対の数は、ユーザのコンフィギュレーション帯域幅に含まれるPRBの数に関連する。Pの値は、さらに、システムの帯域幅のサイズにしたがって、表1を照会することによって取得されてもよい。特に、例えば、システム帯域幅が、50のPRBを含んでいる場合には、P＝3である。ユーザのコンフィギュレーション帯域幅が、20のPRBの幅である場合には、各々のタイムスロットの中の時間周波数リソースは、周波数領域において連続するP＝3  ePRB対を含む3つのeRBGと、周波数領域において連続するQ＝1  ePRB対を含む1つのeRBGとを含む。ユーザのコンフィギュレーション帯域幅が24のPRBの幅であれば、各々のタイムスロットの中のコンフィギュレーション帯域幅は、4つのeRBGを含み、どのeRBGも、周波数領域において連続するP＝3  ePRB対を含む。
【００８５】
さらに、異なるタイムスロットにおけるePRB対又はeRBGが、同じ方式で付番され、ePRB対又はeRBGの番号は、各々のタイムスロットの中で周波数の小さい順に連続する整数シーケンスとなり、ePRB対又はeRBGは、異なるタイムスロットの中で同じ周波数領域位置において同じ番号を有する。
【００８６】
システム帯域幅がN個のPRBを含み、各PRBの番号が、nPRB、nPRB≦N-1、を使用することによって示されると仮定する。各々のタイムスロットにおいて同じ付番方式を使用するシナリオにおいて、各ePRB対の番号は、以下の式(1)を使用することによって取得されてもよい。
(外1)
0006403871.tif 000003
ここで、mePRBは、各ePRB対の番号であり、
(外2)
0006403871.tif 000004
は、切り下げ演算である。
【００８７】
各々のタイムスロットにおいて同じ付番方式を使用するシナリオでは、各eRBGの番号は、以下の式(2)を使用することによって取得されてもよい。
(外3)
0006403871.tif 000005
ここで、meRBGは、各eRBGの番号である。
【００８８】
表2は、異なるタイムスロットにおける同じ付番モードで取得される、各々のタイムスロットの中のPRBの番号と各々のタイムスロットの中のePRB対の番号との間の対応関係の表である。表3は、各々のタイムスロット付番シナリオにおけるPRBと、各々のタイムスロットの中のeRBGとの間の、異なるタイムスロットにおける同じエンコード・モードにおいて取得された対応関係の表である。表2及び表3を参照して、以下は特に、特定の例を使用することによって各々のタイムスロットの中の番号を説明及び記述する。
【００８９】
【表２】
0006403871.tif 000006
【００９０】
【表３】
0006403871.tif 000007
【００９１】
システム帯域幅が5Mであれば、システム帯域幅は25のPRBを含む。例えば、表2及び表3では、小さい順のPRB番号は、周波数の小さい順の周波数領域位置を示す。表2及び表3では、タイムスロット0は、偶数タイムスロットを示し、タイムスロット1は、奇数タイムスロットを示す。表2に図示されるように、タイムスロット0及びタイムスロット1に対応する0乃至12の番号は、タイムスロット0及びタイムスロット1におけるePRB対の番号である。同じ付番方式が、タイムスロット0及びタイムスロット1において使用される。同様に、表3では、タイムスロット0及びタイムスロット1に対応する0乃至6の番号は、タイムスロット0及びタイムスロット1におけるeRBGの番号である。同じ付番方式が、タイムスロット0及びタイムスロット1において使用される。表2において、PRB番号が3である周波数領域位置において、タイムスロット0及びタイムスロット1におけるePRB対は、同じ番号1を有する。同様に、表3において、PRB番号が3である周波数領域位置において、タイムスロット0及びタイムスロット1におけるeRGBは、同じ番号0を有する。
【００９２】
選択的に、少なくとも2つの連続するタイムスロットの中のePRB対又はeRBGの番号は、連続する整数シーケンスを構成する。少なくとも2つの連続するタイムスロットにおけるePRB対又はeRBGの番号は、統合付番方式で取得され、ePRB対又はeRBGの番号は、各々のタイムスロットの中で周波数の小さい順にしたがって連続的となっている
【００９３】
システム帯域幅が、N個のPRBを含み、各PRBの番号が、nPRB、nPRB≦N-1、を使用することによって示されると仮定する。以下は、説明及び記述のために、2つのタイムスロットにおける連続する付番を使用する。
【００９４】
統合付番シナリオにおいて、偶数タイムスロットにおけるePRB対の番号は、以下の式(3)を使用することによって取得されてもよい。
(外4)
0006403871.tif 000008
ここで、式(3)において、mePRBは、偶数タイムスロットにおける各ePRB対の番号である。
【００９５】
統合付番シナリオにおいて、奇数タイムスロットにおけるePRB対の番号は、以下の式(4)を使用することによって取得されてもよい。
(外5)
0006403871.tif 000009
ここで、式(4)において、mePRBは、奇数タイムスロットにおける各ePRB対の番号である。
【００９６】
統合付番シナリオにおいて、偶数タイムスロットにおけるeRBGの番号は、以下の式(5)を使用することによって取得されてもよい。
(外6)
0006403871.tif 000010
ここで、式(5)において、meRBGは、偶数タイムスロットにおける各eRBGの番号である。
【００９７】
統合付番シナリオにおいて、奇数タイムスロットにおけるeRBGの番号は、以下の式(6)を使用することによって取得されてもよい。
(外7)
0006403871.tif 000011
ここで、式(6)において、meRBGは、奇数タイムスロットにおける各eRBGの番号である。
【００９８】
表4は、システム帯域幅内のPRBの番号と各々のタイムスロットの中のePRB対の番号との間の、異なるタイムスロットにおける統合付番シナリオにおける対応関係の表である。表5は、システム帯域幅内のPRBの番号と各々のタイムスロットの中のeRBGの番号との間の、異なるタイムスロットにおける統合付番シナリオにおける対応関係の表である。表4及び表5を参照して示すように、以下は、特定の例を使用することによってePRB対とeRBGとの統合付番のシナリオを特に説明及び記述する。
【００９９】
【表４】
0006403871.tif 000012
【０１００】
【表５】
0006403871.tif 000013
【０１０１】
現在のシステムが5Mのシステム帯域幅を有する場合には、システム帯域幅は、25のPRBを含む。例えば、表4及び表5では、ePRB対/eRBGは、最初にタイムスロット0において付番され、次にタイムスロット1において付番され、各々のタイムスロットにおいて周波数の小さい順に付番される。タイムスロット0は、偶数タイムスロットを示し、タイムスロット1は、奇数タイムスロットを示す。表4に図示されるように、タイムスロット0におけるePRB対の番号は、0乃至12であり、タイムスロット0におけるePRB対の番号は、13乃至25であり、2つのタイムスロットにおけるePRB対の番号は、連続する正の整数シーケンス0乃至25を構成する。同様に、表5では、タイムスロット0におけるeRBGの番号は、0乃至6であり、タイムスロット1におけるeRBGの番号は、7乃至13であり、2つのタイムスロットにおけるeRBGの番号は、連続する正の整数シーケンス0乃至13を構成する。
【０１０２】
さらに、前述した解決方法におけるステップ102において、物理ダウンリンク・データ・チャネルがUEへ送信される前に、方法は、さらに以下のステップを含む。
【０１０３】
ステップS201a:無線リソース制御(RRC)シグナリングを使用することによって、時間周波数リソースに関する指示メッセージをUEへ送信し、それによって、UEは、時間周波数リソースに関する指示メッセージにしたがって、物理ダウンリンク制御チャネルを使用することによって送信されるダウンリンク制御情報を受信する。
【０１０４】
時間周波数リソースに関する指示メッセージは、偶数タイムスロット及び/又は奇数タイムスロットにおける時間周波数リソースに関する指示メッセージである。時間周波数リソースに関する指示メッセージは、周波数領域リソース位置及び開始直交周波数分割多重(Orthogonal  Frequency  Division  Multiplexing、略してOFDM)シンボルを含む。或いは、時間周波数リソースに関する指示メッセージは、周波数領域リソース位置及びOFDMシンボル数を含む。
【０１０５】
特に、物理ダウンリンク制御チャネルは、PDCCH又はePDCCHであってもよい。時間周波数リソースに関する指示メッセージは、PDCCH又はePDCCHに対応する時間周波数リソースに関する指示メッセージであってもよい。無線リソース制御シグナリングは、特に、無線リソース制御(Radio  Resource  Control、略してRRC)シグナリングであってもよい。
【０１０６】
本実施形態では、物理ダウンリンク制御チャネルがPDCCHであれば、時間周波数リソースに関する指示メッセージは、奇数タイムスロットにおける時間周波数リソースに関する指示メッセージであり、周波数領域リソース位置及びOFDMシンボル数を含む。3GPPによって公開されたLTE  R8、R9、又はR10公開(LTE  Release  8/9/10)の規格にしたがって、通常のダウンリンク・サブフレームは、2つのタイムスロットを含み、各々のタイムスロットは、6又は7のOFDMシンボルを含む。OFDMシンボル数は、時間周波数リソースに対応する時間領域位置を示す。例えば、現在のタイムスロットにおける時間周波数リソースのOFDMシンボル0、1、及び2に対応する時間領域位置は、3を使用することによって示される。
【０１０７】
本実施形態において、物理ダウンリンク制御チャネルがePDCCHであれば、時間周波数リソースに関する指示メッセージは、偶数タイムスロット及び/又は奇数タイムスロットにおける時間周波数リソースに関する指示メッセージである。時間周波数リソースに関する指示メッセージは、周波数領域リソース位置及び開始OFDMシンボルを含む。
【０１０８】
本実施形態の解決方法において、物理ダウンリンク制御チャネルがePDCCHであれば、時間周波数リソースに対応する時間領域位置情報は、開始OFDMシンボルを使用することによって示されてもよい。例えば、現在のタイムスロットにおける時間周波数リソースのOFDMシンボル3乃至6のOFDMシンボルに対応する時間領域位置は、3を使用することによって示される。
【０１０９】
それに対応して、この方法はさらに、前記時間周波数リソースに関する前記指示メッセージにしたがって、前記物理ダウンリンク制御チャネルを使用することによって前記UEにダウンリンク制御情報を送信することを含む。
【０１１０】
実施形態3
本実施形態はさらに、物理ダウンリンク・データ・チャネル送信方法を提供する。本実施形態の解決方法は、前述した解決方法に基づく。さらに、ダウンリンク制御情報は、物理ダウンリンク制御チャネルと物理ダウンリンク・データ・チャネルとの間のタイムスロットの関係に関する指示情報を含み、物理ダウンリンク制御チャネルと物理ダウンリンク・データ・チャネルとの間のタイムスロットの関係は、物理ダウンリンク制御チャネルが配置される現在のタイムスロット、及び/又は、物理ダウンリンク制御チャネルが配置される現在のタイムスロットの次のタイムスロットに、物理ダウンリンク・データ・チャネルが配置されることを含む。
【０１１１】
さらに、タイムスロットの関係の指示情報は、タイムスロットの関係が、ダウンリンク制御情報の1ビット情報を使用することによって示されることを含む。
【０１１２】
タイムスロットの関係は、物理ダウンリンク制御チャネルが配置される現在のタイムスロットに、物理ダウンリンク・データ・チャネルが配置されること、又は、物理ダウンリンク制御チャネルが配置される現在のタイムスロットの次のタイムスロットに、物理ダウンリンク・データ・チャネルが配置されることのうちの1つであるか、又は、タイムスロットの関係は、物理ダウンリンク制御チャネルが配置される現在のタイムスロットに、物理ダウンリンク・データ・チャネルが配置されること、又は、物理ダウンリンク制御チャネルが配置される現在のタイムスロット、及び現在のタイムスロットの次のタイムスロットに、物理ダウンリンク・データ・チャネルが配置されることのうちの1つである。
【０１１３】
特に、ダウンリンク制御情報の1ビット情報が0である場合、それは、物理ダウンリンク制御チャネルが配置される現在のタイムスロットに、物理ダウンリンク・データ・チャネルが配置されることを示し、1ビット情報が1である場合、それは、物理ダウンリンク制御チャネルが配置される現在のタイムスロットの次のタイムスロットに、物理ダウンリンク・データ・チャネルが配置されることを示す。或いは、ダウンリンク制御情報の1ビット情報が0である場合、それは、物理ダウンリンク制御チャネルが配置される現在のタイムスロットに、物理ダウンリンク・データ・チャネルが配置されることを示し、1ビット情報が1である場合、それは、物理ダウンリンク制御チャネルが配置される現在のタイムスロット、及び現在のタイムスロットの次のタイムスロットに、物理ダウンリンク・データ・チャネルが配置されることを示す。
【０１１４】
選択的に、タイムスロットの関係の指示情報は、タイムスロットの関係が、ダウンリンク制御情報の2ビット情報を使用することにより示されることを含む。タイムスロットの関係は、物理ダウンリンク制御チャネルが配置される現在のタイムスロットに、物理ダウンリンク・データ・チャネルが配置されること、物理ダウンリンク制御チャネルが配置される現在のタイムスロットの次のタイムスロットに、物理ダウンリンク・データ・チャネルが配置されること、又は、物理ダウンリンク制御チャネルが配置される現在のタイムスロット、及び現在のタイムスロットの次のタイムスロットに、物理ダウンリンク・データ・チャネルが配置されることのうちの1つである。
【０１１５】
特に、タイムスロットの関係は、ダウンリンク制御情報の2ビット情報を使用することによって示される。例えば、00は、物理ダウンリンク制御チャネルが配置される現在のタイムスロットに、物理ダウンリンク・データ・チャネルが配置されることを示すために使用されてもよく、01は、物理ダウンリンク制御チャネルが配置される現在のタイムスロットの次のタイムスロットに、物理ダウンリンク・データ・チャネルが配置されることを示すために使用されてもよく、10は、物理ダウンリンク制御チャネルが配置される現在のタイムスロット、及び現在のタイムスロットの次のタイムスロットに、物理ダウンリンク・データ・チャネルが配置されることを示すために使用されてもよい。物理ダウンリンク制御チャネルが配置される現在のタイムスロット、及び現在のタイムスロットの次のタイムスロットに、物理ダウンリンク・データ・チャネルが配置される場合には、すなわち、現在のタイムスロットと次のタイムスロットとの両方が、1つのタイムスロットの中で、物理ダウンリンク制御チャネルによって搬送されるスケジューリング情報を使用することによってスケジューリングされてもよい。
【０１１６】
選択的に、タイムスロットの関係の指示情報は、ePRB対又はeRBGの、リソース割当情報によって示される番号を使用することによって示されるタイムスロットの関係を含んでもよい。タイムスロットの関係は、物理ダウンリンク制御チャネルが配置される現在のタイムスロットに、物理ダウンリンク・データ・チャネルが配置されること、物理ダウンリンク制御チャネルが配置される現在のタイムスロットの次のタイムスロットに、物理ダウンリンク・データ・チャネルが配置されること、又は、物理ダウンリンク制御チャネルが配置される現在のタイムスロット、及び現在のタイムスロットの次のタイムスロットに、物理ダウンリンク・データ・チャネルが配置されることのうちの1つである。
【０１１７】
例えば、多数のタイムスロットにおけるePRB対又はeRBGのための統合付番方式では、ePRB対又はeRGBの番号であるとともにリソース割当情報によって示される番号は、多数のタイムスロットにおいて一意的である。対応する時間周波数リソースが配置されるタイムスロット位置は、前述した番号を使用することによって表されてもよい。
【０１１８】
前述した実施形態の解決方法に基づく本実施形態にしたがって、タイムスロットの関係の異なる指示メッセージを示すために、様々なタイプの情報が使用され、それによって、この解決方法は、より多くのシナリオに対して適用可能になり、より高い応用性を有する。
【０１１９】
実施形態4
本実施形態はさらに、物理ダウンリンク・データ・チャネル送信方法を提供する。本実施形態における方法は、特に、ユーザ機器によって実行されてもよい。図3は、本発明の実施形態4にしたがった物理ダウンリンク・データ情報送信方法のフローチャートである。図3に図示されるように、この方法は、特に以下のステップを含む。
【０１２０】
ステップS301:ダウンリンク制御情報を搬送する物理ダウンリンク制御チャネルを使用することによって基地局から送信されるとともに物理ダウンリンク・データ・チャネルのためのスケジューリング情報を受信する。
【０１２１】
ステップS302:スケジューリング情報にしたがって、基地局から物理ダウンリンク・データ・チャネルを受信し、スケジューリング情報は、少なくとも1つのタイムスロットの中の時間周波数リソースに関する前記物理ダウンリンク・データ・チャネルのためのリソース割当情報を含み、各々のタイムスロットの中の時間周波数リソースは、少なくとも1つの強化された物理リソース・ブロック対を含み、強化された物理リソース・ブロック対は、同じタイムスロットの中の1つの周波数領域において2つの連続する物理リソース・ブロックを含む。
【０１２２】
本実施形態の解決方法は、前述した実施形態に対応するUEによって実行される物理ダウンリンク・データ・チャネル送信方法であり、特定の実装プロセス及びその有益な効果は、前述した実施形態の実装プロセス及び有益な効果と同様である。本明細書では、詳細は再度記載されない。
【０１２３】
さらに、前述した解決方法では、システム帯域幅又はコンフィギュレーション帯域幅に含まれる物理リソース・ブロックの数が偶数である場合には、各々のタイムスロットの中の周波数領域リソースは、少なくとも1つの強化された物理リソース・ブロック対を含み、又は、
システム帯域幅又はコンフィギュレーション帯域幅に含まれる物理リソース・ブロックの数が奇数である場合には、各々のタイムスロットの中の周波数領域リソースは、少なくとも1つの強化された物理リソース・ブロック対及び/又は1つの物理リソース・ブロックを含む。前記物理リソース・ブロックは、各々のタイムスロットの中の前記周波数領域において最も高い物理リソース・ブロックであり、前記コンフィギュレーション帯域幅は、前記UEに割り当てられる帯域幅である。
【０１２４】
実施形態5
本実施形態はさらに、物理ダウンリンク・データ・チャネル送信方法を提供する。図4は、本発明の実施形態5にしたがった物理ダウンリンク・データ・チャネル送信方法のフローチャートである。
【０１２５】
本実施形態の解決方法は、前述した解決方法に基づく。リソース割当情報は、強化された物理リソース・ブロック対又は強化されたリソース・ブロック・グループの基本単位で、物理ダウンリンク・データ・チャネルのためのリソース割当情報を含む。
【０１２６】
強化されたリソース・ブロック・グループは、同じタイムスロットにおける周波数領域においてP個の連続する強化された物理リソース・ブロック対を含み、Pは、現在のシステム帯域幅にしたがって決定される正の整数であるか、又は、
強化されたリソース・ブロック・グループは、同じタイムスロットにおける周波数領域においてP個又はQ個の連続する強化された物理リソース・ブロック対を含み、Qは、P以下の正の整数である。
【０１２７】
システム帯域幅又はコンフィギュレーション帯域幅に含まれるPRBの数が、2Pの整数倍であれば、システムの帯域幅は、各々のタイムスロットの中の周波数領域において連続するいくつかのeRBGを含み、各eRBGは、周波数領域において連続するP個のePRB対を含む。システム帯域幅又はコンフィギュレーション帯域幅に含まれるPRBの数が、2Pの整数倍ではないのであれば、現在のシステム帯域幅は、周波数領域において連続するいくつかのeRBG(各々のeRBGは、周波数領域において連続するP個のeRPBペアを含む)と、各々のタイムスロットの中の1つのeRBG(eRBGは、周波数領域において連続するQ個のePRBを含む)とを含む。
【０１２８】
図4に図示されるように、スケジューリング情報にしたがって、前述した解決方法におけるステップS302において基地局から物理ダウンリンク・データ・チャネルを受信する前に、この方法は、さらに、以下のステップを含む。
【０１２９】
ステップS401:基地局によって物理ダウンリンク・データ・チャネルに割り当てられるとともに、強化された物理リソース・ブロック対のリソース位置であるリソース位置をリソース割当情報にしたがって決定する。
【０１３０】
スケジューリング情報にしたがって、前述した解決方法におけるステップS302において基地局から物理ダウンリンク・データ・チャネルを受信するステップは、特に、以下のステップを含む。
【０１３１】
ステップS402:強化された物理リソース・ブロック対の割り当てられたリソース位置において、基地局から物理ダウンリンク・データ・チャネルを受信する。
【０１３２】
好適には、スケジューリング情報にしたがって、前述したステップS302において基地局から物理ダウンリンク・データ・チャネルを受信する前に、上記の方法は、さらに、以下のステップを含んでもよい。
【０１３３】
ステップS401a:同じタイムスロットの中の2つのダウンリンク制御情報フォーマットにしたがって、物理ダウンリンク制御チャネルでブラインド検出を実行して、スケジューリング情報を決定し、2つのダウンリンク制御情報フォーマットにしたがって物理ダウンリンク制御チャネルを使用することによってスケジューリングされる物理ダウンリンク・データ・チャネルは、複数の異なる送信時間間隔を有する。
【０１３４】
2つのダウンリンク制御情報フォーマットにしたがって物理ダウンリンク制御チャネルを使用することによってスケジューリングされる物理ダウンリンク・データ・チャネルの送信時間間隔は、各々1つのタイムスロット及び2つのタイムスロット、すなわち、0．5ミリ秒及び1ミリ秒であってもよい。
【０１３５】
さらに、複数の異なるタイムスロットにおける強化された物理リソース・ブロック対又は強化されたリソース・ブロック・グループは、同じ方式で付番され、すなわち、強化された物理リソース・ブロック対又は強化されたリソース・ブロック・グループの番号は、各々のタイムスロットの中で周波数の小さい順に連続的な整数シーケンスとなり、強化された物理リソース・ブロック対又は強化されたリソース・ブロック・グループは、複数の異なるタイムスロットにおける同じ周波数領域位置において同じ番号を有する。
【０１３６】
選択的に、少なくとも2つの連続するタイムスロットの中の強化された物理リソース・ブロック対又は強化されたリソース・ブロック・グループの番号は、連続する整数シーケンスを構成する。特に、強化された物理リソース・ブロック対又は強化されたリソース・ブロック・グループの番号は、各々のタイムスロットの中で周波数の小さい順にしたがって連続的となっている。
【０１３７】
前述した解決方法に基づいて、スケジューリング情報にしたがって、ステップS302において基地局から物理ダウンリンク・データ・チャネルを受信する前に、上記の方法は、さらに以下のステップを含む。
【０１３８】
ステップS401b:RRCシグナリングを使用することによって基地局によって送信されるとともに時間周波数リソースに関する指示メッセージである指示メッセージを受信する。
【０１３９】
ステップS401c:物理ダウンリンク制御チャネルを使用することによって送信されたダウンリンク制御情報を、時間周波数リソースに関する指示メッセージにしたがって受信する。
【０１４０】
時間周波数リソースに関する指示メッセージは、偶数タイムスロット及び/又は奇数タイムスロットにおける指示メッセージであり、時間周波数リソースに関する指示メッセージが、周波数領域リソース位置及び開始OFDMシンボルを含むか、又は、時間周波数リソースに関する指示メッセージが、周波数領域リソース場所及びOFDMシンボル数を含む。
【０１４１】
さらに、前述した解決方法におけるダウンリンク制御情報は、物理ダウンリンク制御チャネルと物理ダウンリンク・データ・チャネルとの間のタイムスロットの関係に関する指示情報をさらに含み、物理ダウンリンク制御チャネルと物理ダウンリンク・データ・チャネルとの間のタイムスロットの関係は、物理ダウンリンク制御チャネルが配置される現在のタイムスロット、及び/又は、物理ダウンリンク制御チャネルが配置される現在のタイムスロットの次のタイムスロットに、物理ダウンリンク・データ・チャネルが配置されることを含む。
【０１４２】
選択的に、スケジューリング情報にしたがって、前述したステップS302において基地局から物理ダウンリンク・データ・チャネルを受信するステップは、特に、
ダウンリンク制御情報の1ビット情報を使用することによって示されるタイムスロットの関係にしたがって、物理ダウンリンク・データ・チャネルを受信することを含む。
【０１４３】
タイムスロットの関係は、物理ダウンリンク制御チャネルが配置される現在のタイムスロットに、物理ダウンリンク・データ・チャネルが配置されること、又は、物理ダウンリンク制御チャネルが配置される現在のタイムスロットの次のタイムスロットに、物理ダウンリンク・データ・チャネルが配置されることのうちの1つであるか、或いは、
タイムスロットの関係は、物理ダウンリンク制御チャネルが配置される現在のタイムスロットに、物理ダウンリンク・データ・チャネルが配置されること、又は、物理ダウンリンク制御チャネルが配置される現在のタイムスロット、及び現在のタイムスロットの次のタイムスロットに、物理ダウンリンク・データ・チャネルが配置されることのうちの1つである。
【０１４４】
代替的に、スケジューリング情報にしたがって、前述したステップS302において基地局から物理ダウンリンク・データ・チャネルを受信するステップは、特に、
ダウンリンク制御情報の2ビット情報を使用することによって示されるタイムスロットの関係にしたがって、物理ダウンリンク・データ・チャネルからデータ情報を受信することを含み、タイムスロットの関係は、物理ダウンリンク制御チャネルが配置される現在のタイムスロットに、物理ダウンリンク・データ・チャネルが配置されること、物理ダウンリンク制御チャネルが配置される現在のタイムスロットの次のタイムスロットに、物理ダウンリンク・データ・チャネルが配置されること、又は、物理ダウンリンク制御チャネルが配置される現在のタイムスロット、及び現在のタイムスロットの次のタイムスロットに、物理ダウンリンク・データ・チャネルが配置されることのうちの1つである。
【０１４５】
選択的に、スケジューリング情報にしたがって、前述したステップS302において基地局から物理ダウンリンク・データ・チャネルを受信するステップは、さらに、特に、
強化された物理リソース・ブロック対又は強化されたリソース・ブロック・グループの番号であるとともにリソース割当情報によって示される番号を使用することによって示されるタイムスロットの関係にしたがって物理ダウンリンク・データ・チャネルを受信することを含んでもよく、タイムスロットの関係は、物理ダウンリンク制御チャネルが配置される現在のタイムスロットに、物理ダウンリンク・データ・チャネルが配置されること、物理ダウンリンク制御チャネルが配置される現在のタイムスロットの次のタイムスロットに、物理ダウンリンク・データ・チャネルが配置されること、又は、物理ダウンリンク制御チャネルが配置される現在のタイムスロット、及び現在のタイムスロットの次のタイムスロットに、物理ダウンリンク・データ・チャネルが配置されることのうちの1つである。
【０１４６】
本実施形態の解決方法の特定の実装プロセス及び有益な効果は、前述した実施形態の実装プロセス及び有益な効果と同様である。本明細書では、詳細は再度記載されない。
【０１４７】
実施形態6
本実施形態は、さらに、物理ダウンリンク・データ・チャネル送信方法を提供し、本実施形態は、特定の例を使用することによって説明及び記述される。図5は、本発明の実施形態6にしたがった物理ダウンリンク・データ・チャネル送信方法のフローチャートである。図5に図示されるように、この方法は、特に、以下のステップを含む。
【０１４８】
ステップS501:基地局は、RRCシグナリングを使用することによってUEに時間周波数リソースに関する指示メッセージを送信する。
【０１４９】
ステップS502:基地局は、物理ダウンリンク制御チャネルを使用することによって、上記の時間周波数リソースの上でUEにダウンリンク制御情報を送信し、ダウンリンク制御情報は、物理ダウンリンク・データ・チャネルのためのリソース割当情報と、物理ダウンリンク・データ・チャネルと物理ダウンリンク制御チャネルとの間のタイムスロットの関係とを含む。
【０１５０】
ステップS503:基地局は、上記のリソース割当情報に対応する時間周波数リソースの上で、UEに物理ダウンリンク・データ・チャネルを送信する。
【０１５１】
ステップS504:UEは、物理ダウンリンク制御チャネルを使用することによって送信されたダウンリンク制御情報を、時間周波数リソースに関する指示メッセージにしたがって受信し、同じタイムスロットの中の2つのダウンリンク制御情報フォーマットにしたがって、物理ダウンリンク制御チャネルでブラインド検出を実行する。
【０１５２】
ステップS505:UEは、物理ダウンリンク・データ・チャネルのためのリソース割り当て情報であってダウンリンク制御情報の中で搬送されるリソース割当情報、及び物理ダウンリンク・データ・チャネルと物理ダウンリンク制御チャネルとの間のタイムスロットの関係にしたがって、物理ダウンリンク・データ・チャネルを受信する。
【０１５３】
ステップ502とステップ503との間には、明確な順序は存在しないということに留意すべきである。ステップ502及びステップ503は、同時に実行されてもよいか、又は、ステップ502が、ステップ503の前又は後に実行されてもよい。特に、ステップ502とステップ503とが同時に実行されるか、又は、ステップ503がステップ502の後の次のタイムスロットにおいて実行されるかは、物理ダウンリンク・データ・チャネルと物理制御チャネルとの間のタイムスロットの関係にしたがって決定されてもよい。時間周波数リソースに関する指示情報とリソース割当情報とは、前述した実施形態における時間周波数リソースに関する指示情報及びリソース割当情報と同様であってもよい。本明細書では、詳細は再度記載されない。
【０１５４】
本実施形態の解決方法は、前述した実施形態の特定の例示的な解決方法であり、特定の実装プロセス及び有益な効果は、前述した実施形態の特定の実装プロセス及び有益な効果と同様である。本明細書では、詳細は再度記載されない。
【０１５５】
実施形態7
本発明の本実施形態は、基地局を提供する。図6は、本発明の実施形態7にしたがった基地局の概要構成図である。
【０１５６】
図6に図示されるように、基地局600は、マッピング・モジュール601及び送信モジュール602を含む。
【０１５７】
マッピング・モジュール601は、物理ダウンリンク・データ・チャネルを少なくとも1つのタイムスロットの中の時間周波数リソースにマッピングするように構成される。各々のタイムスロットの中の時間周波数リソースは、少なくとも1つの強化された物理リソース・ブロック対を含み、前記強化された物理リソース・ブロック対は、同じタイムスロットの中の1つの周波数領域において2つの連続する物理リソース・ブロックを含む。
【０１５８】
送信モジュール602は、物理ダウンリンク・データ・チャネルをUEに送信するように構成される。
【０１５９】
さらに、システム帯域幅又はコンフィギュレーション帯域幅に含まれる物理リソース・ブロックの数が偶数である場合には、各々のタイムスロットの中の時間周波数リソースは、少なくとも1つの強化された物理リソース・ブロック対を含み、又は、
システム帯域幅又はコンフィギュレーション帯域幅に含まれる物理リソース・ブロックの数が奇数である場合には、各々のタイムスロットの中の時間周波数リソースは、少なくとも1つの強化された物理リソース・ブロック対及び/又は物理リソース・ブロックを含み、物理リソース・ブロックは、各々のタイムスロットの中の周波数領域において最も高い物理リソース・ブロックであり、コンフィギュレーション帯域幅は、UEに割り当てられる帯域幅である。
【０１６０】
選択的に、前述した基地局600の送信モジュール602は、さらに、物理ダウンリンク・データ・チャネルのためのスケジューリング情報を、ダウンリンク制御情報を搬送する物理ダウンリンク制御チャネルを使用することによってUEに送信するように構成される。
【０１６１】
スケジューリング情報は、少なくとも1つのタイムスロットの中の時間周波数リソースに関する物理ダウンリンク・データ・チャネルのためのリソース割当情報を含み、ダウンリンク制御情報は、強化された物理リソース・ブロック対又は強化されたリソース・ブロック・グループの基本単位で、物理ダウンリンク・データ・チャネルのためのリソース割当情報を含む。
【０１６２】
強化されたリソース・ブロック・グループは、同じタイムスロットにおける周波数領域においてP個の連続する強化された物理リソース・ブロック対を含み、Pは、システム帯域幅にしたがって決定される正の整数であるか、又は、
強化されたリソース・ブロック・グループは、同じタイムスロットにおける周波数領域においてP個又はQ個の連続する強化された物理リソース・ブロック対を含み、Qは、P以下の正の整数である。
【０１６３】
前述した実施形態の解決方法に基づいて、送信モジュール602は、さらに、物理ダウンリンク・データ・チャネルをUEに送信する前に、RRCシグナリングを使用することによって、時間周波数リソースに関する指示メッセージをUEに送信するように構成され、それによって、UEは、時間周波数リソースに関する指示メッセージにしたがって、物理ダウンリンク制御チャネルを使用することによって送信されるダウンリンク制御情報を受信する。
【０１６４】
時間周波数リソースに関する指示メッセージは、偶数タイムスロット及び/又は奇数タイムスロットにおける時間周波数リソースに関する指示メッセージであり、時間周波数リソースに関する指示メッセージが、周波数領域リソース位置及び開始OFDMシンボルを含むか、又は、時間周波数リソースに関する指示メッセージが、周波数領域リソース位置及びOFDMシンボル数を含む。
【０１６５】
それに対応して、送信モジュール602は、さらに、時間周波数リソースに関する指示メッセージにしたがって、物理ダウンリンク制御チャネルを使用することによってUEにダウンリンク制御情報を送信するように構成される。
【０１６６】
選択的に、前述した実施形態の解決方法におけるダウンリンク制御情報は、さらに、物理ダウンリンク制御チャネルと物理ダウンリンク・データ・チャネルとの間のタイムスロットの関係に関する指示情報を含み、物理ダウンリンク制御チャネルと物理ダウンリンク・データ・チャネルとの間のタイムスロットの関係は、物理ダウンリンク制御チャネルが配置される現在のタイムスロット、及び/又は、物理ダウンリンク制御チャネルが配置される現在のタイムスロットの次のタイムスロットに、物理ダウンリンク・データ・チャネルが配置されることを含む。
【０１６７】
本実施形態の解決方法において提供される基地局は、前述した実施形態において提供される基地局によって実行される物理ダウンリンク・データ・チャネル送信方法を実装してもよく、解決方法の特定の実装プロセス及び有益な効果は、前述した実施形態の特定の実装プロセス及び有益な効果と同様である。本明細書では、詳細は再度記載されない。
【０１６８】
実施形態8
本発明の本実施形態は、さらに、UEを提供する。図7は、本発明の実施形態8に従うUEの概要構成図である。
【０１６９】
図7に図示されるように、UE700は、受信モジュール701を含む。
【０１７０】
受信モジュール701は、ダウンリンク制御情報を搬送する物理ダウンリンク制御チャネルを使用することによって基地局から送信されるとともに物理ダウンリンク・データ・チャネルのためのスケジューリング情報を受信し、そのスケジューリング情報にしたがって、基地局から物理ダウンリンク・データ・チャネルを受信するように構成される。
【０１７１】
スケジューリング情報は、少なくとも1つのタイムスロットの中の時間周波数リソースに関する物理ダウンリンク・データ・チャネルのためのリソース割当情報を含み、各々のタイムスロットの中の時間周波数リソースは、少なくとも1つの強化された物理リソース・ブロック対を含み、強化された物理リソース・ブロック対は、同じタイムスロットの中の1つの周波数領域において2つの連続する物理リソース・ブロックを含む。
【０１７２】
さらに、本実施形態において、システム帯域幅又はコンフィギュレーション帯域幅に含まれる物理リソース・ブロックの数が偶数である場合には、各々のタイムスロットの中の時間周波数リソースは、少なくとも1つの強化された物理リソース・ブロック対を含み、又は、
システム帯域幅又はコンフィギュレーション帯域幅に含まれる物理リソース・ブロックの数が奇数である場合には、各々のタイムスロットの中の時間周波数リソースは、少なくとも1つの強化された物理リソース・ブロック対及び/又は1つの物理リソース・ブロックを含む。
【０１７３】
物理リソース・ブロックは、各々のタイムスロットの中の周波数領域において最も高い物理リソース・ブロックであり、コンフィギュレーション帯域幅は、UEに割り当てられる帯域幅である。
【０１７４】
選択的に、前述した解決方法では、リソース割当情報は、強化された物理リソース・ブロック対又は強化されたリソース・ブロック・グループの基本単位で、物理ダウンリンク・データ・チャネルのためのリソース割当情報を含む。
【０１７５】
強化されたリソース・ブロック・グループは、同じタイムスロットにおける周波数領域においてP個の連続する強化された物理リソース・ブロック対を含み、Pは、システム帯域幅にしたがって決定される正の整数であるか、又は、
強化されたリソース・ブロック・グループは、同じタイムスロットにおける周波数領域においてP個又はQ個の連続する強化された物理リソース・ブロック対を含み、QはP以下の整数である。
【０１７６】
それに対応して、UE700は、さらに、
スケジューリング情報にしたがって基地局から物理ダウンリンク・データ・チャネルを受信する前に、強化された物理リソース・ブロック対のリソース位置であるとともに基地局によって物理ダウンリンク・データ・チャネルに割り当てられるリソース位置をリソース割当情報にしたがって決定するように構成される決定モジュールを含む。
【０１７７】
受信モジュール701は、さらに、強化された物理リソース・ブロック対の割り当てられるリソース位置において、基地局から物理ダウンリンク・データ・チャネルを受信するように構成される。
【０１７８】
前述した実施形態の解決方法に基づいて、UE700は、さらに、
スケジューリング情報にしたがって基地局から物理ダウンリンク・データ・チャネルを受信する前に、同じタイムスロットの中の2つのダウンリンク制御情報フォーマットにしたがって、物理ダウンリンク制御チャネルでブラインド検出を実行するように構成される検出モジュールを含む。
【０１７９】
決定モジュールは、さらに、ブラインド検出の測定結果にしたがって、スケジューリング情報を決定するように構成される。
【０１８０】
2つのダウンリンク制御情報フォーマットにしたがって物理ダウンリンク制御チャネルを使用することによってスケジューリングされる物理ダウンリンク・データ・チャネルは、複数の異なる送信時間間隔を有する。
【０１８１】
さらに、前述した解決方法では、受信モジュール701は、さらに、スケジューリング情報にしたがって、基地局から物理ダウンリンク・データ・チャネルを受信する前に、RRCシグナリングを使用することによって基地局によって送信されるとともに時間周波数リソースに関する指示メッセージである指示メッセージを受信し、時間周波数リソースに関する指示メッセージにしたがって、物理ダウンリンク制御チャネルを使用することによって送信されたダウンリンク制御情報を受信するように構成される。
【０１８２】
時間周波数リソースに関する指示メッセージは、偶数タイムスロット及び/又は奇数タイムスロットにおける指示メッセージであり、時間周波数リソースに関する指示メッセージは、周波数領域リソース位置及び開始OFDMシンボルを含むか、又は、時間周波数リソースに関する指示メッセージが、周波数領域リソース位置及びOFDMシンボル数を含む。
【０１８３】
選択的に、前述したダウンリンク制御情報は、さらに、物理ダウンリンク制御チャネルと物理ダウンリンク・データ・チャネルとの間のタイムスロットの関係に関する指示情報を含む。物理ダウンリンク制御チャネルと物理ダウンリンク・データ・チャネルとの間のタイムスロットの関係は、物理ダウンリンク制御チャネルが配置される現在のタイムスロット、及び/又は、物理ダウンリンク制御チャネルが配置される現在のタイムスロットの次のタイムスロットに、物理ダウンリンク・データ・チャネルが配置されることを含む。
【０１８４】
さらに、前述した解決方法では、受信モジュール701は、さらに、ダウンリンク制御情報の1ビット情報を使用することによって示されるタイムスロットの関係にしたがって、物理ダウンリンク・データ・チャネルを受信するように構成される。
【０１８５】
タイムスロットの関係は、物理ダウンリンク制御チャネルが配置される現在のタイムスロットに、物理ダウンリンク・データ・チャネルが配置されること、又は、物理ダウンリンク制御チャネルが配置される現在のタイムスロットの次のタイムスロットに、物理ダウンリンク・データ・チャネルが配置されることのうちの1つであるか、或いは、
タイムスロットの関係は、物理ダウンリンク制御チャネルが配置される現在のタイムスロットに、物理ダウンリンク・データ・チャネルが配置されること、又は、物理ダウンリンク制御チャネルが配置される現在のタイムスロット、及び現在のタイムスロットの次のタイムスロットに、物理ダウンリンク・データ・チャネルが配置されることのうちの1つである。
【０１８６】
代替的に、前述した解決方法における受信モジュール701は、さらに、ダウンリンク制御情報の2ビット情報を使用することによって示されるタイムスロットの関係にしたがって、物理ダウンリンク・データ・チャネルを受信するように構成される。
【０１８７】
タイムスロットの関係は、物理ダウンリンク制御チャネルが配置される現在のタイムスロットに、物理ダウンリンク・データ・チャネルが配置されること、物理ダウンリンク制御チャネルが配置される現在のタイムスロットの次のタイムスロットに、物理ダウンリンク・データ・チャネルが配置されること、物理ダウンリンク制御チャネルが配置される現在のタイムスロット、及び現在のタイムスロットの次のタイムスロットに、物理ダウンリンク・データ・チャネルが配置されることのうちの1つである。
【０１８８】
選択的に、前述した受信モジュール701は、さらに、強化された物理リソース・ブロック対又は強化されたリソース・ブロック・グループの番号であるとともにリソース割当情報によって示される番号を使用することによって示されるタイムスロットの関係にしたがって物理ダウンリンク・データ・チャネルを受信するように構成される。
【０１８９】
タイムスロットの関係は、物理ダウンリンク制御チャネルが配置される現在のタイムスロットに、物理ダウンリンク・データ・チャネルが配置されること、物理ダウンリンク制御チャネルが配置される現在のタイムスロットの次のタイムスロットに、物理ダウンリンク・データ・チャネルが配置されること、又は、物理ダウンリンク制御チャネルが配置される現在のタイムスロット、及び現在のタイムスロットの次のタイムスロットに、物理ダウンリンク・データ・チャネルが配置されることのうちの1つである。
【０１９０】
本実施形態の解決方法において提供されるUEは、前述した実施形態において提供されるUEによって実行される物理ダウンリンク・データ・チャネル送信方法を実装してもよく、上記の解決方法の特定の実装プロセス及び有益な効果は、前述した実施形態の実装プロセス及び有益な効果と同様である。本明細書では、詳細は再度記載されない。
【０１９１】
実施形態9
本発明の本実施形態はさらに、基地局を提供する。図8は、本発明の実施形態9にしたがった基地局の概要構成図である。図8に図示されるように、基地局800は、受信機801、プロセッサ802、及び送信機803を含む。
【０１９２】
プロセッサ802は、物理ダウンリンク・データ・チャネルを少なくとも1つのタイムスロットの中の時間周波数リソースにマッピングするように構成される。各々のタイムスロットの中の時間周波数リソースは、少なくとも1つの強化された物理リソース・ブロック対を含み、強化された物理リソース・ブロック対は、同じタイムスロットの中の1つの周波数領域において2つの連続する物理リソース・ブロックを含む。
【０１９３】
送信機803は、物理ダウンリンク・データ・チャネルをUEに送信するように構成される。
【０１９４】
さらに、本実施形態の解決方法では、システム帯域幅又はコンフィギュレーション帯域幅に含まれる物理リソース・ブロックの数が偶数である場合には、各々のタイムスロットの中の時間周波数リソースは、少なくとも1つの強化された物理リソース・ブロック対を含み、又は、
システム帯域幅又はコンフィギュレーション帯域幅に含まれる物理リソース・ブロックの数が奇数である場合には、各々のタイムスロットの中の時間周波数リソースは、少なくとも1つの強化された物理リソース・ブロック対及び/又は物理リソース・ブロックを含み、物理リソース・ブロックは、各々のタイムスロットの中の周波数領域において最も高い物理リソース・ブロックであり、コンフィギュレーション帯域幅は、UEに割り当てられる帯域幅である。
【０１９５】
前述した実施形態の解決方法に基づいて、送信機803は、さらに、物理ダウンリンク・データ・チャネルのためのスケジューリング情報を、ダウンリンク制御情報を搬送する物理ダウンリンク制御チャネルを使用することによってUEに送信するように構成される。スケジューリング情報は、少なくとも1つのタイムスロットの中の時間周波数リソースに関する物理ダウンリンク・データ・チャネルのためのリソース割当情報を含み、ダウンリンク制御情報は、強化された物理リソース・ブロック対又は強化されたリソース・ブロック・グループの基本単位で、物理ダウンリンク・データ・チャネルのためのリソース割当情報を含む。
【０１９６】
強化されたリソース・ブロック・グループは、同じタイムスロットの中の周波数領域においてP個の連続する強化された物理リソース・ブロック対を含み、Pは、システム帯域幅にしたがって決定される正の整数であるか、又は、
強化されたリソース・ブロック・グループは、同じタイムスロットの中の周波数領域においてP個又はQ個の連続する強化された物理リソース・ブロック対を含み、Qは、P以下の正の整数である。
【０１９７】
選択的に、送信機803は、さらに、UEに物理ダウンリンク・データ・チャネルを送信する前に、RRCシグナリングを使用することによって、時間周波数リソースに関する指示メッセージをUEに送信するように構成され、それによって、UEは、物理ダウンリンク制御チャネルを使用することによって送信されたダウンリンク制御情報を、時間周波数リソースに関する指示メッセージにしたがって受信する。
【０１９８】
時間周波数リソースに関する指示メッセージは、偶数タイムスロット及び/又は奇数タイムスロットにおける時間周波数リソースに関する指示メッセージであり、時間周波数リソースに関する指示メッセージが、周波数領域リソース位置及び開始OFDMシンボルを含むか、又は、時間周波数リソースに関する指示メッセージが、周波数領域リソース場所及びOFDMシンボル数を含む。
【０１９９】
それに対応して、送信機803は、さらに、時間周波数リソースに関する指示メッセージにしたがって、物理ダウンリンク制御チャネルを使用することによってUEにダウンリンク制御情報を送信するように構成される。
【０２００】
さらに、前述した解決方法におけるダウンリンク制御情報は、物理ダウンリンク制御チャネルと物理ダウンリンク・データ・チャネルとの間のタイムスロットの関係に関する指示情報をさらに含む。物理ダウンリンク制御チャネルと物理ダウンリンク・データ・チャネルとの間のタイムスロットの関係は、物理ダウンリンク制御チャネルが配置される現在のタイムスロット、及び/又は、物理ダウンリンク制御チャネルが配置される現在のタイムスロットの次のタイムスロットに、物理ダウンリンク・データ・チャネルが配置されることを含む。
【０２０１】
本実施形態の解決方法において提供される基地局は、前述した実施形態において提供される基地局によって実行される物理ダウンリンク・データ・チャネル送信方法を実装してもよく、この解決方法の特定の実装プロセス及び有益な効果は、前述した実施形態の特定の実装プロセス及び有益な効果と同様である。本明細書では、詳細は再度記載されない。
【０２０２】
実施形態10
本発明の本実施形態はさらに、UEを提供する。図9は、本発明の実施形態10に従うUEの概要構成図である。図9に図示されるように、UE900は、受信機901、プロセッサ902、及び送信機903を含む。
【０２０３】
受信機901は、ダウンリンク制御情報を搬送する物理ダウンリンク制御チャネルを使用することによって基地局から送信されるとともに物理ダウンリンク・データ・チャネルのためのスケジューリング情報を受信し、スケジューリング情報にしたがって、基地局から物理ダウンリンク・データ・チャネルを受信するように構成される。
【０２０４】
スケジューリング情報は、少なくとも1つのタイムスロットの中の時間周波数リソースに関する物理ダウンリンク・データ・チャネルのためのリソース割当情報を含み、各々のタイムスロットの中の時間周波数リソースは、少なくとも1つの強化された物理リソース・ブロック対を含み、強化された物理リソース・ブロック対は、同じタイムスロットの中の1つの周波数領域において2つの連続する物理リソース・ブロックを含む。
【０２０５】
さらに、本実施形態の解決方法では、システム帯域幅又はコンフィギュレーション帯域幅に含まれる物理リソース・ブロックの数が偶数である場合には、各々のタイムスロットの中の時間周波数リソースは、少なくとも1つの強化された物理リソース・ブロック対を含み、又は、
システム帯域幅又はコンフィギュレーション帯域幅に含まれる物理リソース・ブロックの数が奇数である場合には、各々のタイムスロットの中の時間周波数リソースは、少なくとも1つの強化された物理リソース・ブロック対及び/又は物理リソース・ブロックを含み、物理リソース・ブロックは、各々のタイムスロットの中の周波数領域において最も高い物理リソース・ブロックであり、コンフィギュレーション帯域幅は、UEに割り当てられる帯域幅である。
【０２０６】
上記に示された実施形態の解決方法に基づいて、選択的に、リソース割当情報は、強化された物理リソース・ブロック対又は強化されたリソース・ブロック・グループの基本単位で、物理ダウンリンク・データ・チャネルのためのリソース割当情報を含む。
【０２０７】
強化されたリソース・ブロック・グループは、同じタイムスロットの中の周波数領域においてP個の連続する強化された物理リソース・ブロック対を含み、Pは、システム帯域幅にしたがって決定される正の整数であるか、或いは、
強化されたリソース・ブロック・グループは、同じタイムスロットの中の周波数領域においてP個又はQ個の連続する強化された物理リソース・ブロック対を含み、Qは、P以下の正の整数である。
【０２０８】
それに対応して、プロセッサ902は、スケジューリング情報にしたがって基地局から物理ダウンリンク・データ・チャネルを受信する前に、強化された物理リソース・ブロック対のリソース位置であるとともに基地局によって物理ダウンリンク・データ・チャネルに割り当てられるリソース位置をリソース割当情報にしたがって決定するように構成される。
【０２０９】
受信機901は、さらに、強化された物理リソース・ブロック対の割り当てられたリソース位置において、基地局から物理ダウンリンク・データ・チャネルを受信するように構成される。
【０２１０】
さらに、プロセッサ902は、さらに、スケジューリング情報にしたがって基地局から物理ダウンリンク・データ・チャネルを受信する前に、同じタイムスロットの中の2つのダウンリンク制御情報フォーマットにしたがって、物理ダウンリンク制御チャネルでブラインド検出を実行し、ブラインド検出の測定結果にしたがって、スケジューリング情報を決定するように構成される。
【０２１１】
2つのダウンリンク制御情報フォーマットにしたがって物理ダウンリンク制御チャネルを使用することによってスケジューリングされる物理ダウンリンク・データ・チャネルは、複数の異なる送信時間間隔を有する。
【０２１２】
前述した解決方法に基づいて、受信機901は、さらに、スケジューリング情報にしたがって、基地局から物理ダウンリンク・データ・チャネルを受信する前に、RRCシグナリングを使用することによって基地局によって送信されるとともに時間周波数リソースに関する指示メッセージである指示メッセージを受信し、時間周波数リソースに関する指示メッセージにしたがって、物理ダウンリンク制御チャネルを使用することによって送信されるダウンリンク制御情報を受信するように構成される。
【０２１３】
時間周波数リソースに関する指示メッセージは、偶数タイムスロット及び/又は奇数タイムスロットにおける指示メッセージであり、時間周波数リソースに関する指示メッセージは、周波数領域リソース位置及び開始OFDMシンボルを含むか、又は、時間周波数リソースに関する指示メッセージは、周波数領域リソース位置及びOFDMシンボル数を含む。
【０２１４】
選択的に、前述した解決方法におけるダウンリンク制御情報は、さらに、物理ダウンリンク制御チャネルと物理ダウンリンク・データ・チャネルとの間のタイムスロットの関係に関する指示情報を含み、物理ダウンリンク制御チャネルと物理ダウンリンク・データ・チャネルとの間のタイムスロットの関係は、物理ダウンリンク制御チャネルが配置される現在のタイムスロット、及び/又は、物理ダウンリンク制御チャネルが配置される現在のタイムスロットの次のタイムスロットに、物理ダウンリンク・データ・チャネルが配置されることを含む。
【０２１５】
代替的に、前述した受信機901は、さらに、ダウンリンク制御情報の1ビット情報を使用することによって示されるタイムスロットの関係にしたがって、物理ダウンリンク・データ・チャネルを受信するように構成される。
【０２１６】
タイムスロットの関係は、物理ダウンリンク制御チャネルが配置される現在のタイムスロットに、物理ダウンリンク・データ・チャネルが配置されること、又は、物理ダウンリンク制御チャネルが配置される現在のタイムスロットの次のタイムスロットに、物理ダウンリンク・データ・チャネルが配置されることのうちの1つであるか、或いは、
タイムスロットの関係は、物理ダウンリンク制御チャネルが配置される現在のタイムスロットに、物理ダウンリンク・データ・チャネルが配置されること、又は、物理ダウンリンク制御チャネルが配置される現在のタイムスロット、及び現在のタイムスロットの次のタイムスロットに、物理ダウンリンク・データ・チャネルが配置されることのうちの1つである。
【０２１７】
代替的に、受信機901は、さらに、ダウンリンク制御情報の2ビット情報を使用することによって示されるタイムスロットの関係にしたがって物理ダウンリンク・データ・チャネルを受信するように構成される。タイムスロットの関係は、物理ダウンリンク制御チャネルが配置される現在のタイムスロットに、物理ダウンリンク・データ・チャネルが配置されること、物理ダウンリンク制御チャネルが配置される現在のタイムスロットの次のタイムスロットに、物理ダウンリンク・データ・チャネルが配置されること、又は、物理ダウンリンク制御チャネルが配置される現在のタイムスロット、及び現在のタイムスロットの次のタイムスロットに、物理ダウンリンク・データ・チャネルが配置されることのうちの1つである。
【０２１８】
選択的に、受信機901はさらに、強化された物理リソース・ブロック対又は強化されたリソース・ブロック・グループの番号であるとともにリソース割当情報によって示される番号を使用することによって示されるタイムスロットの関係にしたがって物理ダウンリンク・データ・チャネルを受信するように構成される。
【０２１９】
タイムスロットの関係は、物理ダウンリンク制御チャネルが配置される現在のタイムスロットに、物理ダウンリンク・データ・チャネルが配置されること、物理ダウンリンク制御チャネルが配置される現在のタイムスロットの次のタイムスロットに、物理ダウンリンク・データ・チャネルが配置されること、又は、物理ダウンリンク制御チャネルが配置される現在のタイムスロット、及び現在のタイムスロットの次のタイムスロットに、物理ダウンリンク・データ・チャネルが配置されることのうちの1つである。
【０２２０】
本実施形態の解決方法で提供されるUEは、前述した実施形態において提供されるUEによって実行される物理ダウンリンク・データ・チャネル送信方法を実装してもよく、解決方法の特定の実装プロセス及び有益な効果は、前述した実施形態の特定の実装プロセス及び有益な効果と同様である。本明細書では、詳細は再度記載されない。
【０２２１】
当業者であれば、方法実施形態のステップのすべて又はいくつかが、関連するハードウェアに命令するプログラムによって実装されてもよいということを理解することができる。プログラムは、コンピュータ読取可能な記憶媒体に記憶されてもよい。プログラムが実行される場合には、方法の実施形態の複数のステップが実行される。前述した記憶媒体は、ROM、RAM、磁気ディスク、又は光ディスク等のプログラム・コードを記憶することができるいずれかの媒体を含む。
【０２２２】
最後に、前述した実施形態は、本発明の技術的解決方法を記述することを意図しているにすぎず、本発明を限定することを意図したものではないということに留意すべきである。本発明は、前述した実施形態を参照して詳細に説明されるが、当業者は、本発明の実施形態の技術的解決方法の範囲から逸脱することなく、前述した実施形態において説明された技術的解決方法に対する修正をさらに行うことができ、或いは、前述した実施形態において説明された技術的解決方法の複数の技術的特徴のうちのいくつか又はすべてに対する等価な置換をさらに行うことができるということを理解すべきである。
【図１】
0006403871.tif 000014
【図２】
0006403871.tif 000015
【図３】
0006403871.tif 000016
【図４】
0006403871.tif 000017
【図５】
0006403871.tif 000018
【図６】
0006403871.tif 000019
【図７】
0006403871.tif 000020
【図８】
0006403871.tif 000021
【図９】
0006403871.tif 000022